(57)【要約】  本発明は、情報の処理方法、装置、端末およびサーバに関する。当該方法は、情報を受信した時、前記情報が所定のカテゴリの情報であるかどうかを判断するステップと、前記情報が前記所定のカテゴリの情報であれば、前記所定のカテゴリの情報とキーワードテンプレートとをマッチングするステップと、マッチングに成功したキーワードテンプレートに基づき前記情報中のキー情報を抽出するステップと、を含む。本発明の実施例を応用することにより、キー情報が非常に密集に分布されたチケットサービス情報から列車番号、座席、出発／到着駅、出発／到着時刻、注文番号、乗客者等のキー情報を正確に識別および抽出することができるため、キー情報に基づきユーザに注意を促し、ユーザの体験を向上させる。
2018506751.tif 000002
【特許請求の範囲】
【請求項１】
情報を受信した時、前記情報が所定のカテゴリの情報であるかどうかを判断するステップと、
前記情報が前記所定のカテゴリの情報であれば、前記所定のカテゴリの情報をキーワードテンプレートとマッチングするステップと、
マッチングに成功したキーワードテンプレートに基づき前記情報中のキー情報を抽出するステップと、を含むことを特徴とする情報の処理方法。
【請求項２】
前記キーワードテンプレートはそれぞれ記憶されたいくつかのキーワードを含むことを特徴とする請求項１に記載の情報の処理方法。
【請求項３】
所定の識別子を採用して前記キーワードテンプレート中の各キーワードにそれぞれ識別をつけることで、テンプレートの構造を構築することを特徴とする請求項１に記載の情報の処理方法。
【請求項４】
前記キーワードテンプレートからチケット販売先名を抽出するステップと、
前記販売先名が同じのキーワードテンプレートを同一のテンプレート集合に記憶するステップと、をさらに含むことを特徴とする請求項１に記載の情報の処理方法。
【請求項５】
各前記テンプレート集合に対して、前記テンプレート集合に含まれた各キーワードテンプレートとのマッチング集合に基づき各前記キーワードテンプレートに対して優先度を演算するステップと、
算出した優先度に基づき同一の前記キーワードテンプレートに属する各前記キーワードテンプレートをトポロジカルソートするステップと、をさらに含むことを特徴とする請求項４に記載の情報の処理方法。
【請求項６】
前記テンプレート集合に含まれた各キーワードテンプレートとのマッチング集合に基づき各前記キーワードテンプレートに対して優先度を演算するステップは、
前記テンプレート集合中の各キーワードテンプレートとマッチング可能なメッセージ集合を確定するステップと、
あるメッセージ集合が別のメッセージ集合の真部分集合である場合、前記あるメッセージ集合に対応するキーワードテンプレートの優先度が前記別のメッセージ集合に対応するキーワードテンプレートより高いと確定するステップと、
あるメッセージ集合と別のメッセージ集合とが同じである場合、前記あるメッセージ集合に対応するキーワードテンプレートと別のメッセージ集合に対応するキーワードテンプレートとの優先度は同じであると確定するステップと、
優先度が同じの１つのキーワードテンプレートを保留し、優先度が同じのその他のキーワードテンプレートを削除するステップと、を含むことを特徴とする請求項５に記載の情報の処理方法。
【請求項７】
前記情報が所定のカテゴリの情報であるかどうかを判断するステップは、
前記情報中のソース情報を抽出するステップと、
前記ソース情報が所定のカテゴリの情報ソースであるかどうかを判断するステップと、
前記ソース情報が前記所定のカテゴリの情報ソースであると判断した場合、前記情報が所定のカテゴリの情報であると確定するステップと、を含み、
前記ソース情報はチケット販売先名および／または発信番号を含むことを特徴とする請求項１乃至６のいずれか一項に記載の情報の処理方法。
【請求項８】
前記ソース情報が所定のカテゴリの情報ソースであるかどうかを判断するステップは、
サーバが送信したソース情報を受信および記憶するステップと、
前記情報中のソース情報と記憶したソース情報とをマッチングさせるステップと、
前記情報中のソース情報と記憶したソース情報とのマッチングに成功した場合、前記情報中のソース情報が所定のカテゴリの情報ソースであると確定するステップと、を含むことを特徴とする請求項７に記載の情報の処理方法。
【請求項９】
前記サーバが送信したソース更新情報を受信した場合、前記ソース更新情報に基づき前記記憶したソース情報を更新するステップをさらに含むことを特徴とする請求項８に記載の情報の処理方法。
【請求項１０】
前記ソース情報が所定のカテゴリの情報ソースであるかどうかを判断するステップは、
所定のフィルタリング条件を読み取るステップと、
前記フィルタリング条件に基づき前記情報中のソース情報をフィルタリングするステップと、
前記フィルタリング条件にマッチングするソース情報が所定のカテゴリの情報ソースであると確定するステップと、を含むことを特徴とする請求項７に記載の情報の処理方法。
【請求項１１】
所定の時間帯内で受信した所定のカテゴリの情報を取得するステップと、
前記所定のカテゴリの情報中のキーワードを抽出するステップと、
前記キーワードに基づきキーワードテンプレートを構築するステップと、を含むことを特徴とする請求項１０に記載の情報の処理方法。
【請求項１２】
初めて前記フィルタリング条件に合う情報を受信し、かつ前記情報に対応するキーワードテンプレートを記憶していない時、前記情報中のキーワードを抽出するステップと、
前記キーワードに基づきキーワードテンプレートを構築するステップと、をさらに含むことを特徴とする請求項１０に記載の情報の処理方法。
【請求項１３】
端末が前記フィルタリング条件に合う情報を引き続き受信した時、受信した情報中のキーワードを抽出するステップと、
抽出したキーワードに基づき前記キーワードテンプレートを調整更新するステップと、をさらに含むことを特徴とする請求項１２に記載の情報の処理方法。
【請求項１４】
前記フィルタリング条件を含んだ前記ソース情報が記憶していないソース情報であれば、前記ソース情報を別個にキーワードテンプレートに記憶するステップをさらに含むことを特徴とする請求項８または１０に記載の情報の処理方法。
【請求項１５】
マッチングに成功したキーワードテンプレートに基づき前記情報中のキー情報を抽出するステップは、
マッチングに成功したキーワードテンプレートのテンプレート構造に基づき、前記情報から前記所定の識別子に対応するキー情報を抽出するステップを含むことを特徴とする請求項３に記載の情報の処理情報。
【請求項１６】
前記キー情報を応用するステップをさらに含むことを特徴とする請求項１乃至６のいずれか一項に記載の情報の処理方法。
【請求項１７】
前記キー情報を応用するステップは、所定の表示フォーマットで前記キー情報を表示するステップを含むことを特徴とする請求項１６に記載の情報の処理方法。
【請求項１８】
前記キー情報を応用するステップは、
前記キー情報中のキーイベント情報を抽出するステップと、
前記キーイベント情報をメモ帳／アラート時間に記録するステップと、を含むことを特徴とする請求項１６に記載の情報の処理方法。
【請求項１９】
前記キー情報を応用するステップは、
前記キー情報中の日付に基づき生活情報を照会するステップと、
前記生活情報をユーザに送信するステップと、を含み、
ただし、前記生活情報は天気情報、宿泊情報、飲食情報、服装情報、交通情報およびショッピング情報のうちの1つまたは複数を含むこと特徴とする請求項１６に記載の情報の処理方法。
【請求項２０】
所定の時間帯内で受信した情報を取得するステップと、
前記情報中のキーワードに基づきキーワードテンプレートを構築するステップと、
端末が所定のカテゴリの情報を受信した時、マッチングに成功したキーワードテンプレートに基づき前記所定のカテゴリの情報中のキー情報を抽出するように、前記キーワードテンプレートを端末に送信するステップと、を含むことを特徴とする情報の処理方法。
【請求項２１】
前記情報中のキーワードに基づきキーワードテンプレートを構築するステップは、
前記情報中のキーワードを抽出するステップと、
所定の識別子を採用して各前記キーワードにそれぞれ識別をつけ、かつ構築されたキーワードテンプレートに各前記キーワードをそれぞれ記憶するステップと、を含むことを特徴とする請求項２０に記載の情報の処理方法。
【請求項２２】
前記キーワードテンプレート中のチケット販売先名を抽出するステップと、
前記チケット販売先名が同じのキーワードテンプレートを同一のテンプレート集合に記憶するステップと、をさらに含むことを特徴とする請求項２１に記載の情報の処理方法。
【請求項２３】
各前記テンプレート集合に対して、前記テンプレート集合に含まれた各キーワードテンプレートとのマッチング集合に基づき各前記キーワードテンプレートに対して優先度を演算するステップと、
算出した優先度に基づき同一の前記キーワードテンプレートに属する各前記キーワードテンプレートをトポロジカルソートするステップと、をさらに含むことを特徴とする請求項２２に記載の情報の処理方法。
【請求項２４】
前記テンプレート集合に含まれた各キーワードテンプレートとのマッチング集合に基づき各前記キーワードテンプレートに対して優先度を演算するステップは、
前記テンプレート集合中の各キーワードテンプレートとマッチング可能なメッセージ集合を確定するステップと、
あるメッセージ集合が別のメッセージ集合の真部分集合である場合、前記あるメッセージ集合に対応するキーワードテンプレートの優先度が別のメッセージ集合に対応するキーワードテンプレートより高いと確定するステップと、
あるメッセージ集合と別のメッセージ集合とが同じである場合、前記あるメッセージ集合に対応するキーワードテンプレートと前記別のメッセージ集合に対応するキーワードテンプレートとの優先度は同じだと確定するステップと、
優先度が同じの１つのキーワードテンプレートを保留し、優先度が同じのその他のキーワードテンプレートを削除するステップと、を含むことを特徴とする請求項２３に記載の情報の処理方法。
【請求項２５】
受信した情報の情報配列フォーマットと記憶した情報配列フォーマットとが不一致である場合、前記情報中のキーワードを抽出するステップと、
前記キーワードに基づき対応のキーワードテンプレートを更新するステップと、をさらに含むことを特徴とする請求項２１に記載の情報の処理方法。
【請求項２６】
情報を受信した時、前記情報が所定のカテゴリの情報であるかどうかを判断するための判断モジュールと、
前記判断モジュールより前記情報が所定のカテゴリの情報であると判断された時、前記所定のカテゴリの情報をキーワードテンプレートとマッチングさせるためのマッチングモジュールと、
前記マッチングモジュールでマッチングに成功したキーワードテンプレートに基づき前記情報中のキー情報を抽出するための第１抽出モジュールと、を備えることを特徴とする情報の処理装置。
【請求項２７】
前記マッチングモジュールでマッチングされる前記キーワードテンプレートはそれぞれ記憶されたいくつかのキーワードを含むことを特徴とする請求項２６に記載の情報の処理装置。
【請求項２８】
前記マッチングモジュールでマッチングされるキーワードテンプレート中の各所定の識別子を採用してキーワードにそれぞれ識別をつけることで、テンプレートの構造を構築することを特徴とする請求項２６に記載の情報の処理装置。
【請求項２９】
前記キーワードテンプレート中のチケット販売先名を抽出するための第２抽出モジュールと、
前記第２抽出モジュールより抽出された前記チケット販売先名が同じのキーワードテンプレートを同一のテンプレート集合に記憶させるための記憶モジュールと、をさらに備えることを特徴とする請求項２６に記載の情報の処理装置。
【請求項３０】
各前記テンプレート集合に対して、前記テンプレート集合に含まれた各キーワードテンプレートとのマッチング集合に基づき各前記キーワードテンプレートに対して優先度を演算するための第１演算モジュールと、
前記第１演算モジュールで算出された優先度に基づき同一の前記キーワードテンプレートに属する各前記キーワードテンプレートをトポロジカルソートするための第１ソートモジュールと、をさらに備えることを特徴とする請求項２９に記載の情報の処理装置。
【請求項３１】
前記第１演算モジュールは、
前記テンプレート集合中の各キーワードテンプレートとマッチング可能なメッセージ集合を確定するための第１確定サブモジュールと、
前記第１確定サブモジュールにおいてあるメッセージ集合が別のメッセージ集合の真部分集合であると確定された場合、前記あるメッセージ集合に対応するキーワードテンプレートの優先度が前記別のメッセージ集合に対応するキーワードテンプレートより高いと確定するための第２確定サブモジュールと、
前記第２確定サブモジュールにおいてあるメッセージ集合と別のメッセージ集合とが同じであると確定された場合、前記あるメッセージ集合に対応するキーワードテンプレートと前記別のメッセージ集合に対応するキーワードテンプレートとの優先度は同じであると確定するための第３確定サブモジュールと、
前記第３確定サブモジュールで優先度が同じであると確定された１つのキーワードテンプレートを保留し、優先度が同じであるその他のキーワードテンプレートを削除するための第１処理サブモジュールと、を備えることを特徴とする請求項３０に記載の情報の処理装置。
【請求項３２】
前記判断モジュールは、
前記情報中のソース情報を抽出するための第１抽出サブモジュールと、
前記第１抽出サブモジュールで抽出された前記ソース情報が所定のカテゴリの情報ソースであるかどうかを判断するための第１判断サブモジュールと、
前記第１判断サブモジュールで前記ソース情報が前記所定のカテゴリの情報ソースであると判断された場合、前記情報が所定のカテゴリの情報であると確定するための第４確定サブモジュールと、を備え、
前記ソース情報はチケット販売先名および／または発信番号を含むことを特徴とする請求項２６乃至３１のいずれか一項に記載の情報の処理装置。
【請求項３３】
前記第１判断サブモジュールは、
サーバが送信したソース情報を受信および記憶するための第１記憶サブモジュールと、
前記情報中のソース情報と前記第１記憶サブモジュールに記憶されたソース情報とをマッチングするためのソースマッチングサブモジュールと、
前記ソースマッチングサブモジュールで前記情報中のソース情報と記憶されたソース情報とのマッチングに成功した場合、前記情報中のソース情報が所定のカテゴリの情報ソースであると確定するための第１確定サブモジュールと、を備えることを特徴とする請求項３２に記載の情報の処理装置。
【請求項３４】
前記第１判断サブモジュールは、
前記サーバから送信されたソース更新情報を受信した時、記憶しているソース情報を前記ソース更新情報に基づき更新するための更新サブモジュールをさらに備えることを特徴とする請求項３３に記載の情報の処理装置。
【請求項３５】
前記第１判断サブモジュールは、
所定のフィルタリング条件を読み取るための読み取りサブモジュールと、
前記読み取りサブモジュールで読み取られたフィルタリング条件に基づき前記情報中のソース情報をフィルタリングさせるためのフィルタリングサブモジュールと、
前記フィルタリング条件にマッチングするソース情報が所定のカテゴリの情報ソースであると確定するための第２確定サブモジュールと、を備えることを特徴とする請求項３２に記載の情報の処理装置。
【請求項３６】
前記第１判断サブモジュールは、
所定時間帯内で受信された所定のカテゴリの情報を取得するための取得サブモジュールと、
前記取得サブモジュールで取得された前記所定のカテゴリの情報中のキーワードを抽出するための第１抽出サブモジュールと、
前記第１抽出サブモジュールで抽出されたキーワードに基づきキーワードテンプレートを構築するための第１構築サブモジュールと、をさらに備えることを特徴とする請求項３５に記載の情報の処理装置。
【請求項３７】
前記第１判断サブモジュールは、
初めて前記フィルタリング条件に合う情報を受信し、かつ前記情報に対応するキーワードテンプレートを記憶していなかった場合、前記情報中のキーワードを抽出するための第２抽出サブモジュールと、
前記第２抽出サブモジュールで抽出された前記キーワードに基づきキーワードテンプレートを構築するための第２構築サブモジュールと、をさらに備えることを特徴とする請求項３５に記載の情報の処理装置。
【請求項３８】
前記第１判断サブモジュールは、
引き続き前記フィルタリング条件に合う情報を受信した時、受信された情報中のキーワードを抽出するための第３抽出サブモジュールと、
前記第３抽出サブモジュールで抽出されたキーワードに基づき前記キーワードテンプレートを調整更新するための更新サブモジュールと、をさらに備えることを特徴とする請求項３７に記載の情報の処理装置。
【請求項３９】
前記第１判断サブモジュールは、
前記フィルタリング条件が含まれた前記ソース情報が記憶されていないソース情報である場合、前記ソース情報を前記キーワードテンプレートに別個に記憶させるための第２記憶サブモジュールをさらに備えることを特徴とする請求項３３または３５に記載の情報の処理装置。
【請求項４０】
前記第１抽出モジュールは、
マッチングに成功したキーワードテンプレートのテンプレート構造に基づき前記キー情報から前記所定の識別子に対応するキー情報を抽出するための抽出サブモジュールを備えることを特徴とする請求項２８に記載の情報の処理装置。
【請求項４１】
前記キー情報を応用するための応用モジュールをさらに備えることを特徴とする請求項２６乃至３１のいずれか一項に記載の情報の処理装置。
【請求項４２】
前記応用モジュールは、
所定の表示フォーマットで前記キー情報を表示するための表示サブモジュールを備えることを特徴とする請求項４１に記載の情報の処理装置。
【請求項４３】
前記応用モジュールは、
前記キー情報中のキーイベント情報を抽出するための第２抽出サブモジュールと、
前記第２抽出サブモジュールで抽出された前記キーイベント情報をメモ帳／アラート時間に記録するための記録サブモジュールと、を備えることを特徴とする請求項４１に記載の情報の処理装置。
【請求項４４】
前記応用モジュールは、
前記キー情報における日付照会に基づき生活情報を照会するようにするための照会サブモジュールと、
前記照会サブモジュールで照会された生活情報をユーザに送信するようにするための送信サブモジュールと、を含み、
ただし、前記生活情報は天気情報、宿泊情報、飲食情報、服装情報、交通情報、ショッピング情報および通信情報のうちの１つまたは複数を含むことを特徴とする請求項４１に記載の情報の処理装置。
【請求項４５】
所定の時間帯内で受信された情報を取得するための取得モジュールと、
前記取得モジュールで取得された情報中のキーワードに基づきキーワードテンプレートを構築するための構築モジュールと、
前記端末が所定のカテゴリ情報を受信した時、マッチングに成功したキーワードテンプレートに基づき前記所定のカテゴリ情報中のキー情報を抽出するように、前記構築モジュールで構築されたキーワードテンプレートを端末に送信するための送信モジュールと、を備えることを特徴とする情報の処理装置。
【請求項４６】
前記構築モジュールは、
前記情報中のキーワードを抽出するための第３抽出サブモジュールと、
前記第３抽出サブモジュールで抽出された所定の識別子を採用してキーワードにそれぞれ識別をつけ、かつ各前記キーワードを構築されたキーワードテンプレートにそれぞれ記憶させるための第１記憶サブモジュールと、を備えることを特徴とする請求項４５に記載の情報の処理装置。
【請求項４７】
前記構築モジュールは、
前記キーワードテンプレート中のチケット販売先名を抽出するための第４抽出サブモジュールと、
前記第４抽出サブモジュールで抽出されたチケット販売先名が同じのキーワードテンプレートを同一のテンプレート集合に記憶するための第２記憶サブモジュールと、をさらに備えることを特徴とする請求項４６に記載の情報の処理装置。
【請求項４８】
前記構築モジュールは、
各前記テンプレート集合に対して、前記テンプレート集合に含まれた各キーワードテンプレートとのマッチング集合に基づき各前記キーワードテンプレートに対して優先度を演算するための第２演算サブモジュールと、
前記第２演算サブモジュールで算出された優先度に基づき同一の前記キーワードテンプレートに属する各前記キーワードテンプレートをトポロジカルソートするための第２ソートサブモジュールと、を備えることを特徴とする請求項４７に記載の情報の処理装置。
【請求項４９】
前記第２演算サブモジュールは、
前記テンプレート集合中の各キーワードテンプレートとマッチング可能なメッセージ集合を確定するための第５確定サブモジュールと、
前記第５確定サブモジュールにおいてあるメッセージ集合が別のメッセージ集合の真部分集合であると確定された場合、前記あるメッセージ集合に対応するキーワードテンプレートの優先度が前記別のメッセージ集合に対応するキーワードテンプレートより高いと確定するための第６確定サブモジュールと、
前記第６確定サブモジュールにおいてあるメッセージ集合と別のメッセージ集合とが同じであると確定された場合、前記あるメッセージ集合に対応するキーワードテンプレートと前記別のメッセージ集合に対応するキーワードテンプレートとの優先度は同じであると確定するための第７確定サブモジュールと、
前記第７確定サブモジュールで確定された優先度が同じの１つのキーワードテンプレートを保留し、優先度が同じのその他のキーワードテンプレートを削除するための第２処理サブモジュールと、を備えることを特徴とする請求項４８に記載の情報の処理装置。
【請求項５０】
前記構築モジュールは、
受信された情報の情報配列フォーマットと記憶された情報配列フォーマットとが不一致である場合、前記情報中のキーワードを抽出するための第５抽出サブモジュールと、
前記第５抽出サブモジュールで抽出されたキーワードに基づき対応のキーワードテンプレートを更新するための更新サブモジュールと、をさらに備えることを特徴とする請求項４６に記載の情報の処理装置。
【請求項５１】
プロセッサと、
プロセッサの実行可能な指令を記憶するためのメモリと、を備え、
前記プロセッサは、
情報を受信した時、前記情報が所定のカテゴリの情報であるかどうかを判断し、
前記情報が前記所定のカテゴリの情報である場合、前記所定のカテゴリの情報とキーワードテンプレートとをマッチングし、
マッチングに成功したキーワードテンプレートに基づき前記情報中のキー情報を抽出するように構成されることを特徴とする端末。
【請求項５２】
プロセッサと、
プロセッサの実行可能な指令を記憶するためのメモリと、を備え、
前記プロセッサは、
所定の時間帯内で受信した情報を取得し、
前記情報中のキーワードに基づきキーワードテンプレートを構築し、
前記端末が所定のカテゴリの情報を受信した時、マッチングに成功したキーワードテンプレートに基づき前記所定のカテゴリの情報中のキー情報を抽出するように、前記キーワードテンプレートを端末に送信するように構成されることを特徴とするサーバ。
【発明の詳細な説明】
【技術分野】
【０００１】
本発明はモバイル通信技術分野に関し、特に情報の処理方法、装置、端末およびサーバに関する。
【背景技術】
【０００２】
関連技術では、ユーザは複数のルートを介して鉄道チケット、航空券等の各種類のチケットサービスを購入することができ、販売網を介してチケットの注文に成功した場合、一般的にはユーザに注文確認のメッセージを送信し、当該注文確認のメッセージには一般的には出発地、時刻、座席等の内容が含まれているため、情報量が非常に大きい。
【発明の概要】
【発明が解決しようとする課題】
【０００３】
本発明は、関連技術に存在する問題を克服すべく、情報の処理方法、装置、端末およびサーバを提供する。
【課題を解決するための手段】
【０００４】
本発明の実施例の第１の態様によれば、情報の処理方法を提供する。前記処理方法は、
情報を受信した時、前記情報が所定のカテゴリの情報であるかどうかを判断するステップと、
前記情報が前記所定のカテゴリの情報であれば、前記所定のカテゴリの情報をキーワードテンプレートとマッチングするステップと、
マッチングに成功したキーワードテンプレートに基づき前記情報中のキー情報を抽出するステップと、を含む。
【０００５】
好ましくは、前記キーワードテンプレートはそれぞれ記憶されたいくつかのキーワードを含む。
【０００６】
好ましくは、所定の識別子を採用して前記キーワードテンプレート中の各キーワードにそれぞれ識別をつけることで、テンプレートの構造を構築する。
【０００７】
好ましくは、前記処理方法は、
前記キーワードテンプレートからチケット販売先名を抽出するステップと、
前記チケット販売先名が同じのキーワードテンプレートを同一のテンプレート集合に記憶するステップと、をさらに含む。
【０００８】
好ましくは、前記処理方法は、
各前記テンプレート集合に対して、前記テンプレート集合に含まれた各キーワードテンプレートとのマッチング集合に基づき各前記キーワードテンプレートに対して優先度を演算するステップと、
算出した優先度に基づき同一の前記キーワードテンプレートに属する各前記キーワードテンプレートをトポロジカルソートするステップと、をさらに含む。
【０００９】
好ましくは、前記テンプレート集合に含まれた各キーワードテンプレートとのマッチング集合に基づき各前記キーワードテンプレートに対して優先度を演算するステップは、
前記テンプレート集合中の各キーワードテンプレートとマッチング可能なメッセージ集合を確定するステップと、
あるメッセージ集合が別のメッセージ集合の真部分集合である場合、前記あるメッセージ集合に対応するキーワードテンプレートの優先度が前記別のメッセージ集合に対応するキーワードテンプレートより高いと確定するステップと、
あるメッセージ集合と別のメッセージ集合とが同じである場合、前記あるメッセージ集合に対応するキーワードテンプレートと別のメッセージ集合に対応するキーワードテンプレートとの優先度は同じであると確定するステップと、
優先度が同じの１つのキーワードテンプレートを保留し、優先度が同じのその他のキーワードテンプレートを削除するステップと、を含む
好ましくは、前記情報が所定のカテゴリの情報であるかどうかを判断するステップは、
前記情報中のソース情報を抽出するステップと、
前記ソース情報が所定のカテゴリの情報ソースであるかどうかを判断するステップと、
前記ソース情報が前記所定のカテゴリの情報ソースであると判断した場合、前記情報が所定のカテゴリの情報であると確定するステップと、を含み、
前記ソース情報はチケット販売先名および／または発信番号を含む。
【００１０】
好ましくは、前記ソース情報が所定のカテゴリの情報ソースであるかどうかを判断するステップは、
サーバが送信したソース情報を受信および記憶するステップと、
前記情報中のソース情報と記憶したソース情報とをマッチングさせるステップと、
前記情報中のソース情報と記憶したソース情報とのマッチングに成功した場合、前記情報中のソース情報が所定のカテゴリの情報ソースであると確定するステップと、を含む。
【００１１】
好ましくは、前記処理方法は、
前記サーバが送信したソース更新情報を受信した場合、前記ソース更新情報に基づき前記記憶したソース情報を更新するステップをさらに含む。
【００１２】
好ましくは、前記ソース情報が所定のカテゴリの情報ソースであるかどうかを判断するステップは、
所定のフィルタリング条件を読み取るステップと、
前記フィルタリング条件に基づき前記情報中のソース情報をフィルタリングするステップと、
前記フィルタリング条件にマッチングするソース情報が所定のカテゴリの情報ソースであると確定するステップと、を含む。
【００１３】
好ましくは、前記処理方法は、
所定の時間帯内で受信した所定のカテゴリの情報を取得するステップと、
前記所定のカテゴリの情報中のキーワードを抽出するステップと、
前記キーワードに基づきキーワードテンプレートを構築するステップと、を含む。
【００１４】
好ましくは、前記処理方法は、
初めて前記フィルタリング条件に合う情報を受信し、かつ前記情報に対応するキーワードテンプレートを記憶していない時、前記情報中のキーワードを抽出するステップと、
前記キーワードに基づきキーワードテンプレートを構築するステップと、をさらに含む。
【００１５】
好ましくは、前記処理方法は、
端末が前記フィルタリング条件に合う情報を引き続き受信した時、受信した情報中のキーワードを抽出するステップと、
抽出したキーワードに基づき前記キーワードテンプレートを調整更新するステップと、をさらに含む。
【００１６】
好ましくは、前記処理方法は、
前記フィルタリング条件を含んだ前記ソース情報が記憶していないソース情報であれば、前記ソース情報を別個にキーワードテンプレートに記憶するステップをさらに含む。
【００１７】
好ましくは、マッチングに成功したキーワードテンプレートに基づき前記情報中のキー情報を抽出するステップは、
マッチングに成功したキーワードテンプレートのテンプレート構造に基づき、前記情報から前記所定の識別子に対応するキー情報を抽出するステップを含む。
【００１８】
好ましくは、前記処理方法は、
前記キー情報を応用するステップをさらに含む。
【００１９】
好ましくは、前記キー情報を応用するステップは、
所定の表示フォーマットで前記キー情報を表示するステップを含む。
【００２０】
好ましくは、前記キー情報を応用するステップは、
前記キー情報中のキーイベント情報を抽出するステップと、
前記キーイベント情報をメモ帳／アラート時間に記録するステップと、を含む。
【００２１】
好ましくは、前記キー情報を応用するステップは、
前記キー情報中の日付に基づき生活情報を照会するステップと、
前記生活情報をユーザに送信するステップと、を含み、
ただし、前記生活情報は天気情報、宿泊情報、飲食情報、服装情報、交通情報およびショッピング情報のうちの1つまたは複数を含む。
【００２２】
本発明の実施例の第２の態様によれば、情報の処理方法を提供する。前記処理方法は、
所定の時間帯内で受信した情報を取得するステップと、
前記情報中のキーワードに基づきキーワードテンプレートを構築するステップと、
前記端末が所定のカテゴリの情報を受信した時、マッチングに成功したキーワードテンプレートに基づき前記所定のカテゴリの情報中のキー情報を抽出するように、前記キーワードテンプレートを端末に送信するステップと、を含む。
【００２３】
好ましくは、前記情報中のキーワードに基づきキーワードテンプレートを構築するステップは、
前記情報中のキーワードを抽出するステップと、
所定の識別子を採用して各前記キーワードにそれぞれ識別をつけ、かつ構築されたキーワードテンプレートに各前記キーワードをそれぞれ記憶するステップと、を含む。
【００２４】
好ましくは、前記処理方法は、
前記キーワードテンプレート中のチケット販売先名を抽出するステップと、
前記チケット販売先名が同じのキーワードテンプレートを同一のテンプレート集合に記憶するステップと、をさらに含む。
【００２５】
好ましくは、前記処理方法は、
各前記テンプレート集合に対して、前記テンプレート集合に含まれた各キーワードテンプレートとのマッチング集合に基づき各前記キーワードテンプレートに対して優先度を演算するステップと、
算出した優先度に基づき同一の前記キーワードテンプレートに属する各前記キーワードテンプレートをトポロジカルソートするステップと、をさらに含む。
【００２６】
好ましくは、前記テンプレート集合に含まれた各キーワードテンプレートとのマッチング集合に基づき各前記キーワードテンプレートに対して優先度を演算するステップは、
前記テンプレート集合中の各キーワードテンプレートとマッチング可能なメッセージ集合を確定するステップと、
あるメッセージ集合が別のメッセージ集合の真部分集合である場合、前記あるメッセージ集合に対応するキーワードテンプレートの優先度が別のメッセージ集合に対応するキーワードテンプレートより高いと確定するステップと、
あるメッセージ集合と別のメッセージ集合とが同じである場合、前記あるメッセージ集合に対応するキーワードテンプレートと前記別のメッセージ集合に対応するキーワードテンプレートとの優先度は同じだと確定するステップと、
優先度が同じの１つのキーワードテンプレートを保留し、優先度が同じのその他のキーワードテンプレートを削除するステップと、を含む。
【００２７】
好ましくは、前記処理方法は、
受信した情報の情報配列フォーマットと記憶した情報配列フォーマットとが不一致である場合、前記情報中のキーワードを抽出するステップと、
前記キーワードに基づき対応のキーワードテンプレートを更新するステップと、をさらに含む。
【００２８】
本発明の実施例の第３の態様によれば、情報の処理装置を提供する。前記処理装置は、
情報を受信した時、前記情報が所定のカテゴリの情報であるかどうかを判断するための判断モジュールと、
前記判断モジュールより前記情報が所定のカテゴリの情報であると判断された時、前記所定のカテゴリの情報をキーワードテンプレートとマッチングさせるためのマッチングモジュールと、
前記マッチングモジュールでマッチングに成功したキーワードテンプレートに基づき前記情報中のキー情報を抽出するための第１抽出モジュールと、を備える。
【００２９】
好ましくは、前記マッチングモジュールでマッチングされる前記キーワードテンプレートはそれぞれ記憶されたいくつかのキーワードを含む。
【００３０】
好ましくは、前記マッチングモジュールでマッチングされるキーワードテンプレート中の各所定の識別子を採用してキーワードにそれぞれ識別をつけることで、テンプレートの構造を構築する。
【００３１】
好ましくは、前記処理装置は、
前記キーワードテンプレート中のチケット販売先名を抽出するための第２抽出モジュールと、
前記第２抽出モジュールより抽出された前記チケット販売先名が同じのキーワードテンプレートを同一のテンプレート集合に記憶させるための記憶モジュールと、をさらに備える。
【００３２】
好ましくは、前記処理装置は、
各前記テンプレート集合に対して、前記テンプレート集合に含まれた各キーワードテンプレートとのマッチング集合に基づき各前記キーワードテンプレートに対して優先度を演算するための第１演算モジュールと、
前記第１演算モジュールで算出された優先度に基づき同一の前記キーワードテンプレートに属する各前記キーワードテンプレートをトポロジカルソートするための第１ソートモジュールと、をさらに備える。
【００３３】
好ましくは、前記第１演算モジュールは、
前記テンプレート集合中の各キーワードテンプレートとマッチング可能なメッセージ集合を確定するための第１確定サブモジュールと、
前記第１確定サブモジュールにおいてあるメッセージ集合が別のメッセージ集合の真部分集合であると確定された場合、前記あるメッセージ集合に対応するキーワードテンプレートの優先度が前記別のメッセージ集合に対応するキーワードテンプレートより高いと確定するための第２確定サブモジュールと、
前記第２確定サブモジュールにおいてあるメッセージ集合と別のメッセージ集合とが同じであると確定された場合、前記あるメッセージ集合に対応するキーワードテンプレートと前記別のメッセージ集合に対応するキーワードテンプレートとの優先度は同じであると確定するための第３確定サブモジュールと、
前記第３確定サブモジュールで優先度が同じであると確定された１つのキーワードテンプレートを保留し、優先度が同じであるその他のキーワードテンプレートを削除するための第１処理サブモジュールと、を備える。
【００３４】
好ましくは、前記判断モジュールは、
前記情報中のソース情報を抽出するための第１抽出サブモジュールと、
前記第１抽出サブモジュールで抽出された前記ソース情報が所定のカテゴリの情報ソースであるかどうかを判断するための第１判断サブモジュールと、
前記第１判断サブモジュールで前記ソース情報が前記所定のカテゴリの情報ソースであると判断された場合、前記情報が所定のカテゴリの情報であると確定するための第４確定サブモジュールと、を備え、
前記ソース情報はチケット販売先名および／または発信番号を含む。
【００３５】
好ましくは、前記第１判断サブモジュールは、
サーバが送信したソース情報を受信および記憶するための第１記憶サブモジュールと、
前記情報中のソース情報と前記第１記憶サブモジュールに記憶されたソース情報とをマッチングするためのソースマッチングサブモジュールと、
前記ソースマッチングサブモジュールで前記情報中のソース情報と記憶されたソース情報とのマッチングに成功した場合、前記情報中のソース情報が所定のカテゴリの情報ソースであると確定するための第１確定サブモジュールと、を備える。
【００３６】
好ましくは、前記第１判断サブモジュールは、
前記サーバから送信されたソース更新情報を受信した時、記憶しているソース情報を前記ソース更新情報に基づき更新するための更新サブモジュールをさらに備える。
【００３７】
好ましくは、前記第１判断サブモジュールは、
所定のフィルタリング条件を読み取るための読み取りサブモジュールと、
前記読み取りサブモジュールで読み取られたフィルタリング条件に基づき前記情報中のソース情報をフィルタリングさせるためのフィルタリングサブモジュールと、
前記フィルタリング条件にマッチングするソース情報が所定のカテゴリの情報ソースであると確定するための第２確定サブモジュールと、を備える。
【００３８】
好ましくは、前記第１判断サブモジュールは、
所定時間帯内で受信された所定のカテゴリの情報を取得するための取得サブモジュールと、
前記取得サブモジュールで取得された前記所定のカテゴリの情報中のキーワードを抽出するための第１抽出サブモジュールと、
前記第１抽出サブモジュールで抽出されたキーワードに基づきキーワードテンプレートを構築するための第１構築サブモジュールと、をさらに備える。
【００３９】
好ましくは、前記第１判断サブモジュールは、
初めて前記フィルタリング条件に合う情報を受信し、かつ前記情報に対応するキーワードテンプレートを記憶していなかった場合、前記情報中のキーワードを抽出するための第２抽出サブモジュールと、
前記第２抽出サブモジュールで抽出された前記キーワードに基づきキーワードテンプレートを構築するための第２構築サブモジュールと、をさらに備える
好ましくは、  前記第１判断サブモジュールは、
引き続き前記フィルタリング条件に合う情報を受信した時、受信された情報中のキーワードを抽出するための第３抽出サブモジュールと、
前記第３抽出サブモジュールで抽出されたキーワードに基づき前記キーワードテンプレートを調整更新するための更新サブモジュールと、をさらに備える。
【００４０】
好ましくは、前記第１判断サブモジュールは、
前記フィルタリング条件が含まれた前記ソース情報が記憶されていないソース情報である場合、前記ソース情報を前記キーワードテンプレートに別個に記憶させるための第２記憶サブモジュールをさらに備える。
【００４１】
好ましくは、前記第１抽出モジュールは、
マッチングに成功したキーワードテンプレートのテンプレート構造に基づき前記キー情報から前記所定の識別子に対応するキー情報を抽出するための抽出サブモジュールを備える。
【００４２】
好ましくは、前記処理装置は、
前記キー情報を応用するための応用モジュールをさらに備える。
【００４３】
好ましくは、前記応用モジュールは、
所定の表示フォーマットで前記キー情報を表示するための表示サブモジュールを備える。
【００４４】
好ましくは、前記応用モジュールは、
前記キー情報中のキーイベント情報を抽出するための第２抽出サブモジュールと、
前記第２抽出サブモジュールで抽出された前記キーイベント情報をメモ帳／アラート時間に記録するための記録サブモジュールと、を備える。
【００４５】
好ましくは、前記応用モジュールは、
前記キー情報における日付照会に基づき生活情報を照会するようにするための照会サブモジュールと、
前記照会サブモジュールで照会された生活情報をユーザに送信するようにするための送信サブモジュールと、を含み、
ただし、前記生活情報は天気情報、宿泊情報、飲食情報、服装情報、交通情報、ショッピング情報および通信情報のうちの１つまたは複数を含む。
【００４６】
本発明の実施例の第４の態様によれば、情報の処理装置を提供する。前記処理装置は、
所定の時間帯内で受信された情報を取得するための取得モジュールと、
前記取得モジュールで取得された情報中のキーワードに基づきキーワードテンプレートを構築するための構築モジュールと、
前記端末が所定のカテゴリ情報を受信した時、マッチングに成功したキーワードテンプレートに基づき前記所定のカテゴリ情報中のキー情報を抽出するように、前記構築モジュールで構築されたキーワードテンプレートを端末に送信するための送信モジュールと、を備える。
【００４７】
好ましくは、前記構築モジュールは、
前記情報中のキーワードを抽出するための第３抽出サブモジュールと、
前記第３抽出サブモジュールで抽出された所定の識別子を採用してキーワードにそれぞれ識別をつけ、かつ各前記キーワードを構築されたキーワードテンプレートにそれぞれ記憶させるための第１記憶サブモジュールと、を備える。
【００４８】
好ましくは、前記構築モジュールは、
前記キーワードテンプレート中のチケット販売先名を抽出するための第４抽出サブモジュールと、
前記第４抽出サブモジュールで抽出されたチケット販売先名が同じのキーワードテンプレートを同一のテンプレート集合に記憶するための第２記憶サブモジュールと、をさらに備える。
【００４９】
好ましくは、前記構築モジュールは、
各前記テンプレート集合に対して、前記テンプレート集合に含まれた各キーワードテンプレートとのマッチング集合に基づき各前記キーワードテンプレートに対して優先度を演算するための第２演算サブモジュールと、
前記第２演算サブモジュールで算出された優先度に基づき同一の前記キーワードテンプレートに属する各前記キーワードテンプレートをトポロジカルソートするための第２ソートサブモジュールと、を備える。
【００５０】
好ましくは、前記第２演算サブモジュールは、
前記テンプレート集合中の各キーワードテンプレートとマッチング可能なメッセージ集合を確定するための第５確定サブモジュールと、
前記第５確定サブモジュールにおいてあるメッセージ集合が別のメッセージ集合の真部分集合であると確定された場合、前記あるメッセージ集合に対応するキーワードテンプレートの優先度が前記別のメッセージ集合に対応するキーワードテンプレートより高いと確定するための第６確定サブモジュールと、
前記第６確定サブモジュールにおいてあるメッセージ集合と別のメッセージ集合とが同じであると確定された場合、前記あるメッセージ集合に対応するキーワードテンプレートと前記別のメッセージ集合に対応するキーワードテンプレートとの優先度は同じであると確定するための第７確定サブモジュールと、
前記第７確定サブモジュールで確定された優先度が同じの１つのキーワードテンプレートを保留し、優先度が同じのその他のキーワードテンプレートを削除するための第２処理サブモジュールと、を備える。
【００５１】
好ましくは、前記構築モジュールは、
受信された情報の情報配列フォーマットと記憶された情報配列フォーマットとが不一致である場合、前記情報中のキーワードを抽出するための第５抽出サブモジュールと、
前記第５抽出サブモジュールで抽出されたキーワードに基づき対応のキーワードテンプレートを更新するための更新サブモジュールと、をさらに備える。
【００５２】
本発明の実施例の第５の態様によれば、端末を提供する。前記端末は、
プロセッサと、
プロセッサの実行可能な指令を記憶するためのメモリと、を備え、
前記プロセッサは、
情報を受信した時、前記情報が所定のカテゴリの情報であるかどうかを判断し、
前記情報が前記所定のカテゴリの情報である場合、前記所定のカテゴリの情報とキーワードテンプレートとをマッチングし、
マッチングに成功したキーワードテンプレートに基づき前記情報中のキー情報を抽出するように構成される。
【００５３】
本発明の実施例の第６の態様によれば、サーバを提供する。前記サーバは、
プロセッサと、
プロセッサの実行可能な指令を記憶するためのメモリと、を備え、
前記プロセッサは、
所定の時間帯内で受信した情報を取得し、
前記情報中のキーワードに基づきキーワードテンプレートを構築し、
前記端末が所定のカテゴリの情報を受信した時、マッチングに成功したキーワードテンプレートに基づき前記所定のカテゴリの情報中のキー情報を抽出するように、前記キーワードテンプレートを端末に送信するように構成される。
【発明の効果】
【００５４】
本発明の実施例にかかる技術案は、以下の格別な作用効果を含むことができる。
【００５５】
本発明にかかる端末は受信した情報が所定のカテゴリの情報であるかどうかを判断し、当該情報が所定のカテゴリの情報であれば、所定のカテゴリの情報とキーワードテンプレートとをマッチングさせてから、マッチングに成功したキーワードテンプレートに基づき情報中のキー情報を抽出してもよい。本発明はキー情報が非常に密集に分布されたチケットサービス情報から列車番号、座席、出発／到着駅、出発／到着時刻、注文番号、乗客者等のキー情報を正確に識別および抽出することができるため、キー情報に基づきユーザに注意を促し、ユーザ体験が向上する。
【００５６】
本発明にかかる端末は同一のチケット販売先に属するキーワードテンプレートを同一のテンプレート集合に記憶することで、引き続くテンプレートマッチングの正確率および効率を向上させることができる。
【００５７】
本発明にかかる端末は同一のテンプレート集合に属するキーワードテンプレートの優先度を演算し、かつ優先度に基づきソートすることで、同一の情報が複数のキーワードテンプレートとのマッチングに成功した時、最高優先度のキーワードテンプレートにマッチングさせることができる。
【００５８】
本発明にかかる端末は各キーワードテンプレートにマッチング可能なメッセージ集合に基づき優先度を確定し、同じ優先度のキーワードテンプレートに対して、１つのキーワードテンプレートのみを保留することで、メモリが冗長情報に使用されることを避けることができる。
【００５９】
本発明にかかる端末は情報のソース情報、つまり情報中の会社名または発信番号に基づき当該情報が所定のカテゴリの情報、つまりチケットサービス情報であるかどうかを確定してもよい。当該形態は情報が所定のカテゴリの情報であるかどうかを正確に確定することができる。
【００６０】
本発明にかかる端末はサーバが送信したソース情報を受信および記憶し、かつ受信した情報中のソース情報と当該記憶のソース情報とをマッチングさせることができる。
【００６１】
本発明にかかる端末はサーバが送信したソース更新情報を受信した時、記憶しているソース情報を更新することで、常に最新のソース情報を記憶することができる。
【００６２】
本発明にかかる端末はフィルタリング条件を設け、かつソース情報とフィルタリング条件とをマッチングすることで、所定のカテゴリの情報ソースの情報にフィルタリングすることができる。
【００６３】
本発明にかかる端末は引き続き受信するフィルタリング条件に合う情報に基づきすでに構築されたキーワードテンプレートを調整更新することで、当該キーワードテンプレートのマッチングの正確率を向上させることができる。
【００６４】
本発明にかかる端末はフィルタリング条件を含み、かつ記憶していないソース情報をキーワードテンプレートに別個に記憶することで、キーワードテンプレートの内容を充実させ、マッチングの正確率を向上させることができる。
【００６５】
本発明にかかる端末は語彙-構文パターンの方法でキー情報を抽出することで、密集型知識の正確な抽出を実現することができる。
【００６６】
本発明にかかる端末は例えばカラー、配置形態等所定の表示フォーマットでキー情報を表示することで、ユーザにキー情報を素早く取得させることができる。
【００６７】
本発明にかかる端末はキー情報中のキーイベント情報をメモ帳／アラート時間に記録することで、ユーザに注意を促し、重要なことを忘れないようにすることができる。
【００６８】
本発明にかかる端末はキー情報に基づき生活情報を取得することで、ユーザのお出掛けに便宜を図り、ユーザに多方面からの便宜を提供することができるため、ユーザ体験が向上する。
【００６９】
本発明にかかるサーバはいくつかの情報中のキーワードに基づきキーワードテンプレートを構築し、かつ構築したキーワードテンプレートを端末に送信することで、端末が所定のカテゴリの情報を受信した時、マッチングに成功したキーワードテンプレートに基づきキー情報を抽出するようにし、キー情報に基づきユーザに注意を促すことができ、ユーザ体験が向上する。
【００７０】
本発明にかかるサーバは所定の識別子を採用してキーワードにそれぞれ識別をつけ、かつ構築されたキーワードテンプレートに各キーワードをそれぞれ記憶することができる。
【００７１】
本発明にかかるサーバは同一のチケット販売先のキーワードテンプレートを同一のテンプレート集合に記憶することで、引き続きのテンプレートマッチングの効率を向上させることができる。
【００７２】
本発明にかかるサーバは同一のテンプレート集合に属するキーワードテンプレートの優先度を演算し、かつ優先度に基づきソートすることで、同一の情報が複数のキーワードテンプレートとのマッチングに成功した時、最高優先度のキーワードテンプレートにマッチングさせることができる。
【００７３】
本発明にかかるサーバは各キーワードテンプレートにマッチング可能なメッセージ集合に基づき優先度を確定し、同じ優先度のキーワードテンプレートに対して、１つのキーワードテンプレートのみを保留することで、メモリが冗長情報に使用されることを避けることができる。
【００７４】
本発明にかかるサーバは受信した情報の配列フォーマットと記憶された配列フォーマットとが不一致である場合、キーワードに基づき対応のキーワードテンプレートを更新することで、キーワードテンプレートの正確さを確保することができる。
【００７５】
上述した一般的な記述および後続する詳細な記述は、単に例示的および解釈的なものであり、本発明を制限できるものでないと理解されるべきである。
【図面の簡単な説明】
【００７６】
ここでの図面は、明細書を構成する一部として見なされ、本発明に適した実施例を示し、かつ、明細書の文字記載とともに本発明の仕組みを解釈するために用いられる。
【図１】本発明の一実施例に係る情報の処理方法を示すフローチャートである。
【図２】本発明の一実施例に係る別の情報の処理方法を示すフローチャートである。
【図３】本発明の一実施例に係る別の情報の処理方法を示すフローチャートである。
【図４】本発明の一実施例に係る別の情報の処理方法を示すフローチャートである。
【図５】本発明の一実施例に係る別の情報の処理方法を示すフローチャートである。
【図６】本発明の一実施例に係る別の情報の処理方法を示すフローチャートである。
【図７】本発明の一実施例に係る情報の処理の応用場面の模式図である。
【図８】本発明の一実施例に係る情報の処理装置を示すブロック図である。
【図９】本発明の一実施例に係る別の情報の処理装置を示すブロック図である。
【図１０】本発明の一実施例に係る別の情報の処理装置を示すブロック図である。
【図１１】本発明の一実施例に係る別の情報の処理装置を示すブロック図である。
【図１２】本発明の一実施例に係る別の情報の処理装置を示すブロック図である。
【図１３】本発明の一実施例に係る別の情報の処理装置を示すブロック図である。
【図１４】本発明の一実施例に係る別の情報の処理装置を示すブロック図である。
【図１５】本発明の一実施例に係る別の情報の処理装置を示すブロック図である。
【図１６】本発明の一実施例に係る別の情報の処理装置を示すブロック図である。
【図１７】本発明の一実施例に係る別の情報の処理装置を示すブロック図である。
【図１８】本発明の一実施例に係る別の情報の処理装置を示すブロック図である。
【図１９】本発明の一実施例に係る別の情報の処理装置を示すブロック図である。
【図２０】本発明の一実施例に係る別の情報の処理装置を示すブロック図である。
【図２１】本発明の一実施例に係る別の情報の処理装置を示すブロック図である。
【図２２】本発明の一実施例に係る別の情報の処理装置を示すブロック図である。
【図２３】本発明の一実施例に係る別の情報の処理装置を示すブロック図である。
【図２４】本発明の一実施例に係る別の情報の処理装置を示すブロック図である。
【図２５】本発明の一実施例に係る別の情報の処理装置を示すブロック図である。
【図２６】本発明の一実施例に係る別の情報の処理装置を示すブロック図である。
【図２７】本発明の一実施例に係る別の情報の処理装置を示すブロック図である。
【図２８】本発明の一実施例に係る別の情報の処理装置を示すブロック図である。
【図２９】本発明の一実施例に係る別の情報の処理装置を示すブロック図である。
【図３０】本発明の一実施例に係る別の情報の処理装置を示すブロック図である。
【図３１】本発明の一実施例に係る情報の処理装置の構成を示す模式図である。
【図３２】本発明の一実施例に係る別の情報の処理装置の構成を示す模式図である。
【発明を実施するための形態】
【００７７】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付する特許請求の範囲に記載されているように、本発明の一部の態様と一致する装置および方法の例に過ぎない。
【００７８】
本発明で使用されている専門用語は単に特定的な実施例を記述する目的にあり、本発明を限定するためのものではない。文脈に別の意味をはっきり示さない限り、本発明および添付する特許請求の範囲に使用されている単数形態の「1つ」、「前記」および「当該」は複数形態も含むものである。さらに、本文で使用されている専門用語「および／または」とは並びたてられた1つまたは複数の関連のある列挙項目における任意または全ての組み合わせを含むものであることを理解されるべきである。
【００７９】
本発明では第１、第２、第３等という専門用語を採用して各種情報を記述する場合があるものの、これらの情報はこれらの専門用語により限定されないと理解されるべきである。これらの専門用語は同じ種類の情報を区別させるためである。例えば、本発明を逸脱しない範囲で、第１情報が第２情報になることもあり、同じように、第２情報が第１情報になることもある。文脈によっては、例えばここで使用されている「もし」は「…の時」または「…の場合」または「決定に応じ」に解釈される。
【００８０】
図１に示すように、図１は一実施例に係る情報の処理方法を示すフローチャートであり、当該方法は端末に用いられてもよく、以下のステップを含む。
【００８１】
ステップ１０１では、情報を受信した時、情報が所定のカテゴリの情報であるかどうかを判断する。
【００８２】
本発明における端末はネットワークアクセス機能を有するいかなるスマート端末であってもよい。例えば、具体的には携帯、タブレット、ＰＤＡ（Ｐｅｒｓｏｎａｌ  Ｄｉｇｉｔａｌ  Ａｓｓｉｓｔａｎｔ、個人用の携帯情報端末）等である。ただし、端末は無線ＬＡＮを介してルータに接続し、かつルータを介してパブリックネットワーク上のサーバに接続してもよい。
【００８３】
ただし、当該情報はメッセージであってもよく、所定のカテゴリはチケットサービス情報であってもよく、チケットサービスの種類は鉄道チケット、航空券、入場券、映画チケット、コンサートチケット等からの1つまたは複数を含む。本発明のステップではメッセージ中のチケット販売先名、発信番号等で当該情報が所定のカテゴリの情報であるかどうかを確定してもよい。
【００８４】
ステップ１０２では、当該情報が所定のカテゴリの情報であれば、所定のカテゴリの情報とキーワードテンプレートをマッチングさせる。
【００８５】
本発明の実施例では、キーワードテンプレートとはサーバがチケットサービス情報に対して構築したテンプレートを指し、当該テンプレートは独立に記憶したいくつかのキーワードを含み、かつキーワードテンプレートにおける各キーワードはプリセットされた識別子を用いそれぞれ識別される。当該キーワードは注文番号、乗客者姓名、出発日、列車番号、列車またはフライトの種類、座席クラス、車両番号、座席番号、所要時間、出発駅、到着駅中の複数の情報を含んでもよい。
【００８６】
ステップ１０３では、マッチングに成功したキーワードテンプレートに基づき情報中のキー情報を抽出する。
【００８７】
本発明のステップでは、キー情報とはキーワードテンプレート中のキーワードにマッチングされる情報を指す。
【００８８】
上記実施例では、端末は受信した情報が所定のカテゴリの情報であるかどうかを判断し、当該情報が所定のカテゴリの情報であれば、所定のカテゴリの情報とキーワードテンプレートとをマッチングさせてから、マッチングに成功したキーワードテンプレートに基づき情報中のキー情報を抽出してもよい。本発明はキー情報が非常に密集に分布されたチケットサービス情報から列車番号、座席、出発／到着駅、出発／到着時刻、注文番号、乗客者等のキー情報を正確に識別および抽出することができるため、キー情報に基づきユーザに注意を促し、ユーザ体験が向上する。
【００８９】
図２に示すように、図２は一実施例に係る別の情報の処理方法を示すフローチャートであり、当該方法は端末に用いられ、当該方法はまた以下のステップを含んでもよい。
【００９０】
ステップ２０１では、キーワードテンプレート中からチケット販売先名を抽出する。
【００９１】
ただし、チケット販売先名は、例えば１２３０６、阿里旅行、行こうぜ等のように、鉄道駅、旅行会社、チケット販売会社等のチケット販売先名であってもよい。
【００９２】
ステップ２０２では、チケット販売先名が同じのキーワードテンプレートを同一のテンプレート集合に記憶する。
【００９３】
本発明の実施例では、同一の販売先のキーワードテンプレートを同一のテンプレート集合に記憶させることで、引き続きのテンプレートマッチングの効率を向上させる。同一の販売先の送信番号が一定の規律を有するため、例えば、同じ番号プレフィクスまたは番号サフィックスを有し、かつ送信された情報の内容に一般的には幾つかの特定のキーワード、例えば会社名が含まれるため、送信番号の規則およびメッセージのキーワードに基づきテンプレートのマッピング関係を構築してもよい。つまり番号およびキーワードからテンプレート集合までのマッピングのことである。
【００９４】
ステップ２０３では、各テンプレート集合に対して、テンプレート集合に含まれた各キーワードテンプレートにマッチングする集合に基づき各キーワードテンプレートに対して優先度を演算する。
【００９５】
つまり、本発明のステップでは、同一のテンプレート集合における各テンプレートの優先度を計算する。ある開示の形態では、下記形態を介して優先度を演算する。
【００９６】
すなわち、テンプレート集合における各キーワードテンプレートとマッチング可能なメッセージ集合を確定し、あるメッセージ集合が別のメッセージ集合の真部分集合である場合、あるメッセージ集合に対応するキーワードテンプレートの優先度がもう別のメッセージ集合に対応するキーワードテンプレートより高いことを確定し、あるメッセージ集合と別のメッセージ集合が同じである場合、あるメッセージ集合に対応するキーワードテンプレートと別のメッセージ集合に対応するキーワードテンプレートの優先度は同じであると確定し、優先度が同じのあるキーワードテンプレートを保留し、優先度が同じの別のキーワードテンプレートを削除する。
【００９７】
以下、具体的な例を挙げて説明する。
【００９８】
「［鉄道お客さまセンター］（１／２）注文番号××××××××××、張様の０４月１４日、Ｄ８０４５次、０６車、０３Ａ号、０３Ｂ号、鞍山西、１１：０９発のご注文を承りました。張無忌、趙敏様、お早めに紙チケットを引き替えてください。」というメッセージは、それぞれ２つのキーワードテンプレートにマッチングされる。
【００９９】
ただし、第１キーワードテンプレートでは、「＜？鉄道チケット注文テンプレート＞」の「＜？座席番号＞」に「０３Ａ」がマッチングされ、「＜？出発駅＞」に「、０３Ｂ号、鞍山西」がマッチングされ、「＜？乗客者＞」に「張無忌、趙敏」がマッチングされる。
【０１００】
第２キーワードテンプレートでは、「＜？鉄道チケット注文テンプレート＞」の「＜？座席番号１＞」に「０３Ａ」がマッチングされ、「＜？座席番号２＞」に「０３Ｂ」がマッチングされ、「＜？出発駅＞」に「鞍山西」がマッチングされ、「＜？乗客者＞」に「張無忌、趙敏」がマッチングされる。
【０１０１】
メッセージによると、チケットを２枚注文し、かつ第２キーワードテンプレートに２つの座席番号の情報が含まれるため、本発明では当該メッセージが第２キーワードテンプレートに優先的にマッチングされることにより傾く。そこで、このような場合では、キーワードテンプレートに対し予め優先度の順位つけをする必要があり、より正確なキーワードテンプレートほど、優先度が高いことが望ましい。
【０１０２】
この前提に基づき、キーワードテンプレートＡおよびキーワードテンプレートＢに対して、もしキーワードテンプレートＡにマッチングされるメッセージ集合をＳ＿Ａ、キーワードテンプレートＢにマッチングされるメッセージ集合をＳ＿Ｂとすると、もしメッセージ集合Ｓ＿Ａがメッセージ集合Ｓ＿Ｂの真部分集合であれば、つまり、キーワードテンプレートＡにマッチングされるメッセージが、キーワードテンプレートＢにもマッチングされれば、キーワードテンプレートＡの優先度はキーワードテンプレートＢより高い。
【０１０３】
もし、メッセージ集合Ｓ＿Ｂがメッセージ集合Ｓ＿Ａの真部分集合であると、つまり、キーワードテンプレートＢにマッチングされるメッセージが、キーワードテンプレートＡにもマッチングされると、キーワードテンプレートＢの優先度がキーワードテンプレートＡより高い。
【０１０４】
もし、メッセージ集合Ｓ＿Ｂとメッセージ集合Ｓ＿Ａが同じだと、キーワードテンプレートＡとキーワードテンプレートＢは同じであるため、同じ優先度のキーワードテンプレートを２つとも記憶する必要はなく、キーワードテンプレートＡまたはキーワードテンプレートＢのうち任意の1つを削除してもよい。
【０１０５】
ステップ２０４では、算出した優先度に基づき同一のキーワードテンプレートに属する各キーワードテンプレートをトポロジカルソートする。
【０１０６】
上記ステップによれば、キーワードテンプレート間の優先度の定義関係に基づき、各チケット販売会社のテンプレート集合における全てのキーワードテンプレートをトポロジカルソートすることができる。例えば、優先度が高い順位でキーワードテンプレートをソートしてもよい。ソートの優先度が高いキーワードテンプレートが先にマッチングされる。
【０１０７】
図３に示すように、図３は一実施例に係る別の情報の処理方法を示すフローチャートであり、当該方法は端末に用いられ、かつ、図１に示す実施例に加えて、ステップ１０１ではさらに以下のステップを含んでもよい。
【０１０８】
ステップ３０１では、情報からソース情報を抽出する。
【０１０９】
本発明のステップで、当該ソース情報はチケット販売先（会社）名および／または発信番号を含んでもよい。チケットサービス情報について、当該ソース情報はチケット販売先名または会社名、または発信番号であり、クレジットカードの利用明細書の情報について、当該ソース情報は銀行名または発信番号である。
【０１１０】
ステップ３０２では、ソース情報が所定のカテゴリの情報ソースであるかどうかを判断する。
【０１１１】
本発明の実施例における所定のカテゴリの情報ソースとはチケットサービス情報に対するチケット販売先名または発信番号を指す。
【０１１２】
ステップ３０３では、ソース情報が所定のカテゴリの情報ソースだと判断した場合、その情報が所定のカテゴリの情報だと確定する。
【０１１３】
本発明の実施例で、当該所定のカテゴリの情報ソースは端末に予め記憶された所定のカテゴリの情報ソースであってもよい。例えば、サーバから送信されたソース情報を受信かつ記憶してもよく、そこで、受信された情報中のソース情報と記憶されたソース情報とをマッチングさせ、受信された情報中のソース情報と記憶されたソース情報とがマッチングに成功した場合、情報中のソース情報が所定のカテゴリの情報ソースだと確定する。
【０１１４】
このような形態では、サーバ側のソース情報が更新された時、さらにソース更新情報を端末に送信し、端末は当該ソース更新情報に基づき記憶のソース情報を更新することで、受信された情報中のソース情報をさらに正確にマッチングさせる。
【０１１５】
別の開示の形態では、端末がさらにフィルタリング条件を設け、それにより、受信した情報中のソース情報を抽出した後、フィルタリング条件に基づき抽出したソース情報に対してフィルタリングし、その後、フィルタリング条件にマッチングするソース情報が所定のカテゴリの情報ソースだと確定してもよい。ただし、当該フィルタリング条件はチケット販売先名、チケット販売先の電話等の情報を含んでもよい。
【０１１６】
別の開示の形態では、端末が初めてフィルタリング条件に合う情報を受信し、かつ当該情報に対応するキーワードテンプレートを記憶していない時、当該情報からキーワードを抽出し、当該キーワードに基づきキーワードテンプレートを構築する。それにより、端末が引き続いてフィルタリング条件に合う情報を受信した時、受信した情報からキーワードを抽出し、かつ、抽出したキーワードに基づき構築されたキーワードテンプレートを調整更新してもよい。
【０１１７】
別の開示の形態では、フィルタリング条件を含んだソース情報が記憶していないソース情報であれば、ソース情報を別個にキーワードテンプレートに記憶する。
【０１１８】
別の開示の形態では、端末は所定の時間帯内で受信した所定のカテゴリの情報（チケットサービス情報）を取得し、かつ所定のカテゴリの情報からキーワードを抽出してから、キーワードに基づきキーワードテンプレートを構築してもよい。
【０１１９】
図４に示すように、図４は一実施例に係る別の情報の処理方法を示すフローチャートであり、当該方法は端末に用いられ、かつ、図１に示す実施例に加えて、上記ステップ１０３は以下のステップを含んでもよい。
【０１２０】
ステップ４０１では、マッチングに成功したキーワードテンプレートのテンプレート構造に基づき、受信した情報から所定の識別子に対応するキー情報を抽出する。
【０１２１】
かつ、ステップ４０１の後に、さらに以下のステップを含んでもよい。
【０１２２】
ステップ４０２では、キー情報を応用する。
【０１２３】
ある開示の形態では、キー情報の応用とは、所定の表示フォーマットでキー情報を表示すること、例えば、特定のカラーでキー情報を識別および表示することを含んでもよい。
【０１２４】
別の開示の形態では、キー情報の応用とは、キー情報からキーイベント情報を抽出し、キーイベント情報をメモ帳／アラート時間に記録することを含んでもよい。このような形態によりユーザにタイミング良く注意することができる。例えば、出発時間前の所定の時間にユーザに注意を促すことで、ユーザが合理的に時間を割り振り、発車を逃さないようにする。
【０１２５】
別の開示の形態では、キー情報の応用とは、キー情報中の日付照会に基づき生活情報を検索し、生活情報をユーザに送信することを含んでもよい。ただし、当該生活情報は天気情報、宿泊情報、飲食情報、服装情報、交通情報およびショッピング情報における1つまたは複数を含む。
【０１２６】
例えば、ユーザがどこかに出張に出掛ける時、チケットサービス情報におけるキーで目的地および到着日付を確定することができる。それにより、当該目的地の到着日の天気、ホテル位置および価格、ホテル周囲の飲食情報、目的地の気温および服装提案、目的地におけるお出掛け提案、お土産、ショッピング等の情報を確定し、それをユーザに提供することができるため、ユーザのお出掛けに便宜を図り、ユーザに多方面の便宜を提供する。
【０１２７】
なお、端末はさらに毎回受信のチケット注文メッセージから列車番号情報、到着駅情報を抽出し、もし抽出した情報で同一の列車番号および場所の日程の回数が所定の閾値より多い場合、または抽出した情報で同一の列車番号および場所の日程の回数が所定の比率より高い場合、当該列車番号および場所をユーザの常用情報として記憶してもよい。それにより、当該常用情報に基づき次の乗車可能の時間を計算し、次に乗車可能の日付に至る前に、ユーザに注意情報を送信し、ユーザがチケットを購入するようにし、または乗車可能の日付に至る前に、予め出発地および到着地の天気状況をユーザに送信し、または前もって自動的にチケットを注文させ、または１２３０６と協調してチケット注文の情報を１２３０６に送信し、チケットを定時注文させ、または春節期間中、お得な情報をユーザに送信または自動開通し、またはホテルの割引情報等を勧めてもよい。注文情報に基づき、ユーザに注意を促す形態は上記に挙げられた各種形態に限定されない。
【０１２８】
図５に示すように、図５は一実施例に係る別の情報の処理方法を示すフローチャートであり、当該方法はサーバに用いられ、当該方法は以下のステップを含んでもよい。
【０１２９】
ステップ５０１では、所定の時間帯内に受信した情報を取得する。
【０１３０】
本発明の実施例では、サーバは複数の端末から受信したいくつかの情報を取得してもよい。
【０１３１】
ステップ５０２では、情報におけるキーワードに基づきキーワードテンプレートを構築する。
【０１３２】
ただし、当該キーワードは「列車番号」、「出発時間」、「座席番号」、「チケット番号」等の情報であってもよい。
【０１３３】
ステップ５０３では、キーワードテンプレートを端末に送信することで、端末が所定のカテゴリの情報を受信した時、マッチングに成功したキーワードテンプレートに基づき所定のカテゴリの情報からキー情報を抽出するようにする。
【０１３４】
以下は具体的な例を挙げてキーワードテンプレートの構築手順を説明する。
【０１３５】
例えば、下記鉄道チケット注文メッセージ「［鉄道お客さまセンター］注文番号××××××××××、張様の０６月２６日、Ｇ７５６６次、０５車、１０Ｂ号、合肥南、１３：４４発のご注文を承りました。張無忌様、お早めに紙チケットを引き替えてください。」  に対して、「注文番号」、「乗客者」、「出発日付」等のキーワードを抽出することで、下記のキーワードテンプレートを取得することができる。
【０１３６】
＜？鉄道チケット注文テンプレート＞→「［鉄道お客さまセンター］注文番号＜？注文番号＞、＜？名前＞の＜？出発日付＞＜？列車番号＞次＜？車両番号＞車＜？座席番号＞号＜？出発駅＞＜？出発時刻＞発のご注文を承りました。＜？乗客者＞お早めに紙チケットを引き替えください。」
下記鉄道チケット注文のメッセージ「［鉄道お客さまセンター］注文番号××××××××××、張様の０４月１４日、Ｄ８０４５次、０６車、０３Ａ号、０３Ｂ号のご注文を承りました。張無忌、趙敏様、お早めに紙チケットを引き替えてください。」に対して、「注文番号」、「乗客者」、「出発日付」、「座席番号」等のキーワードを抽出することで、下記キーワードテンプレートを取得することができる。
【０１３７】
＜？鉄道チケット注文テンプレート＞→「［鉄道お客さまセンター］注文番号＜？注文番号＞、＜？名前＞の＜？出発日付＞＜？列車番号＞次＜？車両番号＞車＜？座席番号１＞号、＜？座席番号２＞号、＜？出発駅＞＜？出発時刻＞発のご注文を承りました。＜？乗客者＞お早めに紙チケットを引き替えください。」
ただし、キーワードテンプレートは前後文無関係の文法を採用して下記のように表す。
【０１３８】
＜？注文番号＞      →＜＃ＥＮＧ＞＜＃ＮＵＭ＞
＜？名前＞          →＜*＞殿｜＜*＞様
＜？出発日付＞      →ＭＭ月ｄｄ日
＜？列車番号＞      →＜＃ＥＮＧ＞＜＃ＮＵＭ＞｜＜＃ＮＵＭ＞
＜？車両番号＞      →＜＃ＮＵＭ＞
＜？座席番号１＞      →  ＜？座席番号＞
＜？座席番号２＞      →  ＜？座席番号＞
＜？座席番号＞      →＜＃ＮＵＭ＞＜＃ＥＮＧ＞｜＜＃ＮＵＭ＞
＜？出発駅＞        →＜*＞
＜？出発時刻＞      →ＨＨ：ｍｍ
＜？乗客者＞        →＜*＞
ただし、「＜？」を先頭としたものは非終止記号であり、生成式の右側の「｜」は「または」を示し、「＃ＥＮＧ」は1つの英文字列にマッチングし、「＃ＮＵＭ」は1つの数字文字列にマッチングし、「ＭＭ」，「ｄｄ」，「ＨＨ」，「ｍｍ」はそれぞれ月、日、時、分にマッチングし、「＜*＞」は任意の文字列にマッチングする。
【０１３９】
上記キーワードテンプレートにおいて、「＜？鉄道チケット注文テンプレート＞」の生成式の右側の「＜？」を先頭とした非終止記号は本発明実施例で抽出すべき知識ポイントである。
【０１４０】
鉄道チケットにはさらに、例えば、座席の種類は寝台席、硬席、２等席、ビジネス席等別の情報がたくさん含まれるため、本発明で構築するキーワードテンプレートは上記に挙げた内容に限定されない。
【０１４１】
図６に示すように、図６は一実施例に係る別の情報の処理方法を示すフローチャートであり、当該方法はサーバに用いられ、かつ、上記図５に示す実施例を基に構築され、ステップ５０３は以下のステップを含んでもよい。
【０１４２】
ステップ６０１では、情報からキーワードを抽出する。
【０１４３】
ステップ６０２では、所定の識別子を採用して各キーワードにそれぞれ識別をつけ、かつ各キーワードそれぞれを構築されたキーワードテンプレートに記憶する。
【０１４４】
ステップ６０３では、キーワードテンプレートからチケット販売先名を抽出する。
【０１４５】
ステップ６０４では、チケット販売先名が同じのキーワードテンプレートを同一のテンプレート集合に記憶する。
【０１４６】
ステップ６０５では、各テンプレート集合に対して、テンプレート集合に含まれた各キーワードテンプレートにマッチングする集合に基づき各キーワードテンプレートに対して優先度を演算する。
【０１４７】
ある開示の形態では、本発明のステップにおける優先度演算手順は以下の通りである。
【０１４８】
テンプレート集合における各キーワードテンプレートとマッチング可能なメッセージ集合を確定し、あるメッセージ集合が別のメッセージ集合の真部分集合である場合、あるメッセージ集合に対応するキーワードテンプレートの優先度は別のメッセージ集合に対応するキーワードテンプレートより高いと確定し、あるメッセージ集合と別のメッセージ集合が同じの場合、あるメッセージ集合に対応するキーワードテンプレートと別のメッセージ集合に対応するキーワードテンプレートの優先度は同じであると確定し、優先度が同じのあるキーワードテンプレートを保留し、優先度が同じの別のキーワードテンプレートを削除する。
【０１４９】
上記実施例におけるワイルドカード文字「＜*＞」に任意の文字列をマッチングさせてもよいため、1つのメッセージが同じテンプレート集合における２つまたは複数のキーワードテンプレートにマッチングされる場合がある。そのため、予め各キーワードテンプレートの優先度を計算する必要がある。
【０１５０】
ステップ６０６では、算出した優先度に基づき同一のキーワードテンプレートに属する各キーワードテンプレートをトポロジカルソートする。ある開示の形態では、さらに以下を含んでもよい。
【０１５１】
受信した情報に係る情報配列フォーマットと記憶した情報配列フォーマットとが一致しない場合、情報からキーワードを抽出し、当該キーワードに基づきそれに対応するキーワードテンプレートを更新する。
【０１５２】
図７に示すように、図７は本発明の一実施例に係る情報の処理の応用場面の模式図である。図７に示す場面では、端末としてのスマートフォンおよびインターネットに接続するサーバを含む。
【０１５３】
ただし、サーバは所定の時間帯内で受信した情報を取得する。当該情報からキーワードを抽出し、キーワードテンプレートを構築し、所定の識別子を採用して各キーワードそれぞれに識別をつけ、かつ構築されたキーワードテンプレートに各キーワードをそれぞれ記憶し、その後、キーワードテンプレートからチケット販売先名を抽出する。チケット販売先名が同じのキーワードテンプレートを同じテンプレート集合に記憶してから、同一のテンプレートにおける各キーワードテンプレートの優先度を計算し、かつ優先度の値に基づきソートし、サーバは構築されたキーワードテンプレートを端末に送信する。端末は情報を受信したら、情報から発信番号を抽出し、当該発信番号に基づき当該情報が所定のカテゴリの情報だと確定し、つまり、チケットサービス情報であると確定し、端末は当該情報とサーバが送信したキーワードテンプレートとをマッチングさせ、もしマッチングに成功したキーワードが２つ以上である場合、キーワードテンプレートの優先度を読み取り、最高優先度のキーワードテンプレートを選び、かつ当該キーワードテンプレートに基づき情報からキー情報を抽出する。
【０１５４】
図７に示す応用場面において、情報の処理を実現する具体的な手順は前記図１〜６における記述を参照してもよく、ここでは繰り返し説明しない。
【０１５５】
前記情報の処理方法の実施例に対応して、本発明は、さらに情報の処理装置およびその応用に係る端末およびサーバの実施例を提供する。
【０１５６】
図８に示すように、図８は本発明の一実施例に係る情報の処理装置を示すブロック図であり、当該装置は、判断モジュール８１０、マッチングモジュール８２０および第１抽出モジュール８３０を備えてもよい。
【０１５７】
判断モジュール８１０は、情報を受信された時、所定のカテゴリの情報であるかどうかを判断するように構成される。
【０１５８】
マッチングモジュール８２０は、判断モジュール８１０で当該情報が所定のカテゴリの情報だと判断された時、所定のカテゴリの情報とキーワードテンプレートとをマッチングさせるように構成される。
【０１５９】
第１抽出モジュール８３０は、マッチングモジュール８２０でマッチングに成功したキーワードテンプレートに基づき情報中のキー情報を抽出するように構成される。
【０１６０】
ただし、マッチングモジュール８２０でマッチングされたキーワードテンプレートにはそれぞれ記憶されたいくつかのキーワードが含まれている。
【０１６１】
マッチングモジュール８２０でマッチングされたキーワードテンプレートにおける各キーワードを所定の識別子を採用してそれぞれ識別することで、テンプレートの構造を構築するようにする。
【０１６２】
上記実施例では、端末は受信した情報が所定のカテゴリの情報であるかどうかを判断し、当該情報が所定のカテゴリの情報であれば、所定のカテゴリの情報とキーワードテンプレートとをマッチングさせてから、マッチングに成功したキーワードテンプレートに基づき情報からキー情報を抽出してもよい。本発明はキー情報が非常に密集に分布されたチケットサービス情報から列車番号、座席、出発／到着駅、出発／到着時刻、注文番号、乗客者等のキー情報を正確に識別および抽出することができるため、キー情報に基づきユーザに注意を促し、ユーザ体験が向上する。
【０１６３】
図９に示すように、図９は本発明の一実施例に係る別の情報の処理装置を示すブロック図であり、当該実施例は前記図８に示す実施例に加えて、当該装置は、第２抽出モジュール８４０および記憶モジュール８５０をさらに備えてもよい。
【０１６４】
第２抽出モジュール８４０は、キーワードテンプレートからチケット販売先名を抽出するように構成される。
【０１６５】
記憶モジュール８５０は、第２抽出モジュール８４０が抽出したチケット販売先名が同じのキーワードテンプレートを同一のテンプレート集合に記憶させるように構成される。
【０１６６】
上記実施例では、端末は同一のチケット販売先に属するキーワードテンプレートを同一のテンプレート集合に記憶することで、引き続くテンプレートマッチングの正確率および効率を向上させることができる。
【０１６７】
図１０に示すように、図１０は本発明の一実施例に係る別の情報の処理装置を示すブロック図であり、当該実施例は前記図９に示す実施例に加えて、当該装置は、第１演算モジュール８６０および第１ソートモジュール８７０をさらに備えてもよい。
【０１６８】
第１演算モジュール８６０は、各テンプレート集合に対して、テンプレート集合に含まれた各キーワードテンプレートにマッチングする集合に基づき各キーワードテンプレートに対して優先度を演算するように構成される。
【０１６９】
第１ソートモジュール８７０は、第１演算モジュール８６０で算出された優先度に基づき同一のキーワードテンプレート集合に属する各キーワードテンプレートをトポロジカルソートするように構成される。
【０１７０】
上記実施例では、端末は同一のテンプレート集合に属するキーワードテンプレートの優先度を演算し、かつ優先度に基づきソートすることで、同一の情報が複数のキーワードテンプレートとのマッチングに成功した時、最高優先度のキーワードテンプレートにマッチングさせることができる。
【０１７１】
図１１に示すように、図１１は本発明の一実施例に係る別の情報の処理装置を示すブロック図であり、当該実施例は前記図９に示す実施例に加えて、第１演算モジュール８６０は、第１確定サブモジュール８６１、第２確定サブモジュール８６２、第３確定サブモジュール８６３および第１処理サブモジュール８６４を備えてもよい。
【０１７２】
第１確定サブモジュール８６１は、テンプレート集合における各キーワードテンプレートとマッチング可能なメッセージ集合を確定するように構成される。
【０１７３】
第２確定サブモジュール８６２は、第１確定サブモジュール８６１においてあるメッセージ集合が別のメッセージ集合の真部分集合だと確定された場合、あるメッセージ集合に対応するキーワードテンプレートの優先度が別のメッセージ集合に対応するキーワードテンプレートより高いと確定するように構成される。
【０１７４】
第３確定サブモジュール８６３は、第２確定サブモジュール８６２においてあるメッセージ集合と別のメッセージ集合が同じである確定された場合、あるメッセージ集合に対応するキーワードテンプレートと別のメッセージ集合に対応するキーワードテンプレートの優先度は同じであると確定するように構成される。
【０１７５】
第１処理サブモジュール８６４は、第３確定サブモジュール８６３で確定された優先度が同じのあるキーワードテンプレートを保留し、優先度が同じの別のキーワードテンプレートを削除するように構成される。
【０１７６】
上記実施例において、端末は各キーワードテンプレートにマッチング可能なメッセージ集合に基づき優先度を確定し、同じ優先度のキーワードテンプレートに対して、１つのキーワードテンプレートのみを保留することで、メモリが冗長情報に使用されることを避けることができる。
【０１７７】
図１２に示すように、図１２は本発明の一実施例に係る別の情報の処理装置を示すブロック図であり、当該実施例は前記図８〜１１のうちの任意に示す実施例に加えて、当該判断モジュール８１０は、第１抽出サブモジュール８１１、第１判断サブモジュール８１２および第４確定サブモジュール８１３を備えてもよい。
【０１７８】
第１抽出サブモジュール８１１は、チケット販売先名および／または発信番号を含むソース情報を情報から抽出するように構成される。
【０１７９】
第１判断サブモジュール８１２は、第１抽出サブモジュール８１１から抽出されたソース情報が所定のカテゴリの情報ソースであるかどうかを判断するように構成される。
【０１８０】
第４確定サブモジュール８１３は、第１判断サブモジュール８１２でソース情報が所定のカテゴリの情報ソースだと判断された場合、当該情報が所定のカテゴリの情報だと確定するように構成される。
【０１８１】
上記実施例では、端末は情報のソース情報、つまり情報中の会社名または発信番号に基づき当該情報が所定のカテゴリの情報、つまりチケットサービス情報であるかどうかを確定してもよい。当該形態は情報が所定のカテゴリの情報であるかどうかを正確に確定することができる。
【０１８２】
図１３に示すように、図１３は本発明の一実施例に係る別の情報の処理装置を示すブロック図であり、当該実施例は前記図１２に示す実施例に加えて、第１判断サブモジュール８１２は、第１記憶サブモジュール８１２１、ソースマッチングサブモジュール８１２２および第１確定サブモジュール８１２３を備えてもよい。
【０１８３】
第１記憶サブモジュール８１２１は、サーバが送信したソース情報を受信および記憶するように構成される。
【０１８４】
ソースマッチングサブモジュール８１２２は、情報中のソース情報と第１記憶サブモジュール８１２１に記憶されたソース情報をマッチングさせるように構成される。
【０１８５】
第１確定サブモジュール８１２３は、ソースマッチングサブモジュール８１２２で情報中のソース情報と記憶のソース情報とのマッチングに成功した場合、情報中のソース情報が所定のカテゴリの情報ソースだと確定するように構成される。
【０１８６】
上記実施例では、端末はサーバが送信したソース情報を受信および記憶し、かつ受信した情報中のソース情報と当該記憶のソース情報とをマッチングさせることができる。
【０１８７】
図１４に示すように、図１４は本発明の一実施例に係る別の情報の処理装置を示すブロック図であり、当該実施例は前記図１３に示す実施例に加えて、第１判断サブモジュール８１２は、更新サブモジュール８１２４をさらに備える。
【０１８８】
更新サブモジュール８１２４は、サーバが送信したソース更新情報を受信された時、ソース更新情報に基づき記憶されたソース情報を更新するように構成される。
【０１８９】
上記実施例では、端末はサーバが送信したソース更新情報を受信した時、記憶しているソース情報を更新することで、常に最新のソース情報を記憶することができる。
【０１９０】
図１５に示すように、図１５は本発明の一実施例に係る別の情報の処理装置を示すブロック図であり、当該実施例は前記図１２に示す実施例に加えて、第１判断サブモジュール８１２は、読み取りサブモジュール８１２５、フィルタリングサブモジュール８１２６および第２確定サブモジュール８１２７をさらに備えてもよい。
【０１９１】
読み取りサブモジュール８１２５は、所定のフィルタリング条件を読み取るように構成される。
【０１９２】
フィルタリングサブモジュール８１２６は、読み取りサブモジュール８１２５で読み取られたフィルタリング条件に基づき情報中のソース情報をフィルタリングさせるように構成される。
【０１９３】
第２確定サブモジュール８１２７は、フィルタリング条件にマッチングされたソース情報を所定のカテゴリの情報ソースだと確定するように構成される。
【０１９４】
上記実施例では、端末はフィルタリング条件を設け、かつソース情報とフィルタリング条件とをマッチングすることで、所定のカテゴリの情報ソースの情報にフィルタリングすることができる。
【０１９５】
図１６に示すように、図１６は本発明の一実施例に係る別の情報の処理装置を示すブロック図であり、当該実施例は前記図１５に示す実施例に加えて、第１判断サブモジュール８１２は、取得サブモジュール８１２８、第１抽出サブモジュール８１２９および第１構築サブモジュール８１２１０をさらに備えてもよい。
【０１９６】
取得サブモジュール８１２８は、所定の時間帯内で受信された所定のカテゴリの情報を取得するように構成される。
【０１９７】
第１抽出サブモジュール８１２９は、取得サブモジュール８１２８で取得された所定のカテゴリの情報中からキーワードを抽出するように構成される。
【０１９８】
第１構築サブモジュール８１２１０は、第１抽出サブモジュール８１２９で抽出されたキーワードに基づきキーワードテンプレートを構築するように構成される。
【０１９９】
上記実施例では、端末は所定のカテゴリの情報中のキーワードに基づきキーワードテンプレートを構築することができる。
【０２００】
図１７に示すように、図１７は本発明の一実施例に係る別の情報の処理装置を示すブロック図であり、当該実施例は前記図１５に示す実施例に加えて、第１判断サブモジュール８１２は、第２抽出サブモジュール８１２１１および第２構築サブモジュール８１２１２をさらに備えてもよい。
【０２０１】
第２抽出サブモジュール８１２１１は、初めてフィルタリング条件に合う情報を受信され、かつ情報に対応するキーワードテンプレートが記憶されていなかった場合、情報からキーワードを抽出するように構成される。
【０２０２】
第２構築サブモジュール８１２１２は、第２抽出サブモジュール８１２１１で抽出されたキーワードに基づきキーワードテンプレートを構築するように構成される。
【０２０３】
上記実施例では、端末は初めてフィルタリング条件に合う情報を受信し、かつ当該情報に対応するキーワードテンプレートを記憶していなければ、当該情報におけるキーワードに基づきキーワードテンプレートを構築してもよい。
【０２０４】
図１８に示すように、図１８は本発明の一実施例に係る別の情報の処理装置を示すブロック図であり、当該実施例は前記図１７に示す実施例に加えて、第１判断サブモジュール８１２は、第３抽出サブモジュール８１２１３および更新サブモジュール８１２１４をさらに備えてもよい。
【０２０５】
第３抽出サブモジュール８１２１３は、引き続いてフィルタリング条件に合う情報が受信された時、受信された情報からキーワードを抽出するように構成される。
【０２０６】
更新サブモジュール８１２１４は、第３抽出サブモジュール８１２１３で抽出されたキーワードに基づきキーワードテンプレートを調整更新するように構成される。
【０２０７】
上記実施例では、端末は引き続き受信するフィルタリング条件に合う情報に基づきすでに構築されたキーワードテンプレートを調整更新することで、当該キーワードテンプレートのマッチングの正確率を向上させることができる。
【０２０８】
図１９に示すように、図１９は本発明の一実施例に係る別の情報の処理装置を示すブロック図であり、当該実施例は前記図１３または１５に示す実施例に加えて、第１判断サブモジュール８１２は、第２記憶サブモジュール８１２１６をさらに備えてもよい。
【０２０９】
第２記憶サブモジュール８１２１６は、フィルタリング条件を含んだソース情報が記憶していないソース情報である場合、ソース情報をキーワードテンプレートに別個に記憶するように構成される。
【０２１０】
上記実施例では、端末はフィルタリング条件を含み、かつ記憶していないソース情報をキーワードテンプレートに別個に記憶することで、キーワードテンプレートの内容を充実させ、マッチングの正確率を向上させることができる。
【０２１１】
図２０に示すように、図２０は本発明の一実施例に係る別の情報の処理装置を示すブロック図であり、当該実施例は前記図８に示す実施例に加えて、第１抽出モジュール８３０は、抽出サブモジュール８３１を備えてもよい。
【０２１２】
抽出サブモジュール８３１は、マッチングに成功したキーワードテンプレートのテンプレートの構造に基づき情報から所定の識別子に対応するキー情報を抽出するように構成される。
【０２１３】
上記実施例では、端末は語彙-構文パターンの方法でキー情報を抽出することで、密集型知識の正確な抽出を実現することができる。
【０２１４】
図２１に示すように、図２１は本発明の一実施例に係る別の情報の処理装置を示すブロック図であり、当該実施例は前記図８〜１１の任意に示す実施例に加えて、当該装置は、応用モジュール８８０をさらに備えてもよい。
【０２１５】
応用モジュール８８０は、キー情報を応用するように構成される。
【０２１６】
図２２に示すように、図２２は本発明の一実施例に係る別の情報の処理装置を示すブロック図であり、当該実施例は前記図２１に示す実施例に加えて、当該応用モジュール８８０は、表示サブモジュール８８１を備えてもよい。
【０２１７】
表示サブモジュール８８１は、所定の表示フォーマットでキー情報を表示するように構成される。
【０２１８】
上記実施例では、端末は例えばカラー、配置形態等所定の表示フォーマットでキー情報を表示することで、ユーザにキー情報を素早く取得させることができる。
【０２１９】
図２３に示すように、図２３は本発明の一実施例に係る別の情報の処理装置を示すブロック図であり、当該実施例は前記図２１に示す実施例に加えて、当該応用モジュール８８０は、第２抽出サブモジュール８８２および記録サブモジュール８８３をさらに備えてもよい。
【０２２０】
第２抽出サブモジュール８８２は、キー情報からキーイベント情報を抽出するように構成される。
【０２２１】
記録サブモジュール８８３は、第２抽出サブモジュール８８２で抽出されたキーイベント情報をメモ帳／アラート時間に記録するように構成される。
【０２２２】
上記実施例では、端末はキー情報中のキーイベント情報をメモ帳／アラート時間に記録することで、ユーザに注意を促し、重要なことを忘れないようにすることができる。
【０２２３】
図２４に示すように、図２４は本発明の一実施例に係る別の情報の処理装置を示すブロック図であり、当該実施例は前記図２１に示す実施例に加えて、当該応用モジュール８８０は、照会サブモジュール８８４および送信サブモジュール８８５をさらに備えてもよい。
【０２２４】
照会サブモジュール８８４は、キー情報における日付に基づき生活情報を照会するように構成される。
【０２２５】
送信サブモジュール８８５は、照会サブモジュール８８４で照会された生活情報をユーザに送信するように構成される。ただし、当該生活情報は天気情報、宿泊情報、飲食情報、服装情報、交通情報、ショッピング情報および通信情報中の１つまたは複数を含む。
【０２２６】
上記実施例では、端末はキー情報に基づき生活情報を取得することで、ユーザのお出掛けに便宜を図り、ユーザに多方面からの便宜を提供することができるため、ユーザ体験が向上する。
【０２２７】
上記図８〜２４に示す情報の処理装置に係る実施例は端末に応用してもよい。
【０２２８】
図２５に示すように、図２５は本発明の一実施例に係る別の情報の処理装置を示すブロック図であり、当該装置は、取得モジュール９１０、構築モジュール９２０および送信モジュール９３０を備えても良い。
【０２２９】
取得モジュール９１０は、所定の時間帯内で受信された情報を取得するように構成される。
【０２３０】
構築モジュール９２０は、取得モジュール９１０で取得された情報中のキーワードに基づきキーワードテンプレートを構築するように構成される。
【０２３１】
送信モジュール９３０は、構築モジュール９２０で構築されたキーワードテンプレートを端末に送信し、端末が所定のカテゴリの情報を受信した時、マッチングに成功したキーワードテンプレートに基づき所定のカテゴリの情報からキー情報を抽出するように構成される。
【０２３２】
上記実施例では、サーバはいくつかの情報中のキーワードに基づきキーワードテンプレートを構築し、かつ構築したキーワードテンプレートを端末に送信することで、端末が所定のカテゴリの情報を受信した時、マッチングに成功したキーワードテンプレートに基づきキー情報を抽出するようにし、キー情報に基づきユーザに注意を促すことができ、ユーザ体験が向上する。
【０２３３】
図２６に示すように、図２６は本発明の一実施例に係る別の情報の処理装置を示すブロック図であり、当該実施例は前記図２５に示す実施例に加えて、当該構築モジュール９２０は、第３抽出サブモジュール９２１および第１記憶サブモジュール９２２を備えてもよい。
【０２３４】
第３抽出サブモジュール９２１は、情報からキーワードを抽出するように構成される。
【０２３５】
第１記憶サブモジュール９２２は、第３抽出サブモジュール９２１で抽出された各所定の識別子を採用してキーワードにそれぞれ識別をつけ、かつ構築されたキーワードテンプレートに各キーワードをそれぞれ記憶するように構成される。
【０２３６】
上記実施例では、サーバは所定の識別子を採用してキーワードにそれぞれ識別をつけ、かつ構築されたキーワードテンプレートに各キーワードをそれぞれ記憶することができる。
【０２３７】
図２７に示すように、図２７は本発明の一実施例に係る別の情報の処理装置を示すブロック図であり、当該実施例は前記図２６に示す実施例に加えて、構築モジュール９２０は、第４抽出サブモジュール９２３および第２記憶サブモジュール９２４をさらに備えてもよい。
【０２３８】
第４抽出サブモジュール９２３は、キーワードテンプレートからチケット販売先名を抽出するように構成される。
【０２３９】
第２記憶サブモジュール９２４は、第４抽出サブモジュール９２３で抽出されたチケット販売先名が同じのキーワードテンプレートを同一のテンプレート集合に記憶するように構成される。
【０２４０】
上記実施例では、サーバは同一のチケット販売先のキーワードテンプレートを同一のテンプレートに記憶することで、引き続きのテンプレートマッチングの効率を向上させることができる。
【０２４１】
図２８に示すように、図２８は本発明の一実施例に係る別の情報の処理装置を示すブロック図であり、当該実施例は前記図２７に示す実施例に加えて、構築モジュール９２０は、第２演算サブモジュール９２５および第２ソートサブモジュール９２６をさらに備えてもよい。
【０２４２】
第２演算サブモジュール９２５は、各テンプレート集合に対して、テンプレート集合に含まれた各キーワードテンプレートにマッチングする集合に基づき各キーワードテンプレートに対して優先度を演算するように構成される。
【０２４３】
第２ソートサブモジュール９２６は、第２演算サブモジュール９２５で計算された優先度に基づき同一のテンプレート集合属する各キーワードテンプレートをトポロジカルソートするように構成される。
【０２４４】
上記実施例では、サーバは同一のテンプレート集合に属するキーワードテンプレートの優先度を演算し、かつ優先度に基づきソートすることで、同一の情報が複数のキーワードテンプレートとのマッチングに成功した時、最高優先度のキーワードテンプレートにマッチングさせることができる。
【０２４５】
図２９に示すように、図２９は本発明の一実施例に係る別の情報の処理装置を示すブロック図であり、当該実施例は前記図２６に示す実施例に加えて、第２演算サブモジュール９２５は、第５確定サブモジュール９２５１、第６確定サブモジュール９２５２、第７確定サブモジュール９２５３および第２処理サブモジュール９２５４を備えてもよい。
【０２４６】
第５確定サブモジュール９２５１は、テンプレート集合における各キーワードテンプレートとマッチング可能なメッセージ集合を確定するように構成される。
【０２４７】
第６確定サブモジュール９２５２は、第５確定サブモジュール９２５１であるメッセージ集合が別のメッセージ集合の真部分集合だと確定された場合、あるメッセージ集合に対応するキーワードテンプレートの優先度が別のメッセージ集合に対応するキーワードテンプレートより高いと確定するように構成される。
【０２４８】
第７確定サブモジュール９２５３、第６確定サブモジュール９２５２であるメッセージ集合と別のメッセージ集合が同じであると確定された場合、あるメッセージ集合に対応するキーワードテンプレートと別のメッセージ集合に対応するキーワードテンプレートの優先度は同じであると確定するように構成される。
【０２４９】
第２処理サブモジュール９２５４は、第７確定サブモジュール９２５３で確定された優先度が同じのあるキーワードテンプレートを保留し、優先度が同じの別のキーワードテンプレートを削除するように構成される。
【０２５０】
上記実施例では、サーバは各キーワードテンプレートにマッチング可能なメッセージ集合に基づき優先度を確定し、同じ優先度のキーワードテンプレートに対して、１つのキーワードテンプレートのみを保留することで、メモリが冗長情報に使用されることを避けることができる。
【０２５１】
図３０に示すように、図３０は本発明の一実施例に係る別の情報の処理装置を示すブロック図であり、当該実施例は前記図２５に示す実施例に加えて、構築モジュール９２０は、第５抽出サブモジュール９２７および更新サブモジュール９２８をさらに備えてもよい。
【０２５２】
第５抽出サブモジュール９２７は、受信された情報に係る情報配列フォーマットと記憶された情報配列フォーマットとが不一致である場合、情報からキーワードを抽出するように構成される。
【０２５３】
更新サブモジュール９２８は、第５抽出サブモジュール９２７で抽出されたキーワードに基づき対応のキーワードテンプレートを更新するように構成される。
【０２５４】
上記実施例では、サーバは受信した情報の配列フォーマットと記憶された配列フォーマットとが不一致である場合、キーワードに基づき対応のキーワードテンプレートを更新することで、キーワードテンプレートの正確さを確保することができる。
【０２５５】
上記図２５〜３０に示す情報の処理装置に係る実施例はキーワードテンプレートの構築に用いられるサーバに応用してもよい。
【０２５６】
上記装置において各モジュールの機能および作用に係る具体的な実現手順は詳しくは上記方法において対応するステップの実現手順を参照し、ここでは繰り返し説明しない。
【０２５７】
装置実施例が基本的に方法実施例に対応するため、関連箇所は、方法実施例部分の説明を参照すればよい。以上に記載の装置実施例は、単なる模式的である。その中の分離部品として説明されたモジュールは、物理的に離間してもよいし、離間しなくてもよい。モジュールとして表示された部品は、物理モジュールであってもよいし、物理モジュールでなくてもよい。即ち、１箇所に位置してもよいし、複数のネットワークモジュールに分散してもよい。実際の必要に応じて、その中の一部または全部のモジュールを選択して本発明の目的を達成してもよい。当業者は、進歩性に値する労動をせずに、理解し実施可能である。
【０２５８】
図８相応に、本発明は、さらに端末を提供する。当該端末は、プロセッサと、プロセッサの実行可能な指令を記憶するためのメモリとを備える。ただし、前記プロセッサは、情報を受信した時、前記情報が所定のカテゴリの情報であるかどうかを判断し、前記情報が前記所定のカテゴリの情報である場合、前記所定のカテゴリの情報とキーワードテンプレートとをマッチングし、マッチングに成功したキーワードテンプレートに基づき前記情報からキー情報を抽出するように構成される。
【０２５９】
図２５相応に、本発明は、さらにサーバを提供し、当該サーバは、プロセッサと、プロセッサの実行可能な指令を記憶するためのメモリとを備える。ただし、前記プロセッサは、所定の時間帯内で受信した情報を取得し、前記情報におけるキーワードに基づきキーワードテンプレートを構築し、前記端末が所定のカテゴリの情報を受信した時、マッチングに成功したキーワードテンプレートに基づき前記所定のカテゴリの情報からキー情報を抽出するように、前記キーワードテンプレートを端末に送信するように構成される。
【０２６０】
図３１は、本発明の一実施例にかかる情報の処理装置３１００の構成を示す模式図（端末設備側）である。例えば、装置３１００はルータ機能を具備する携帯電話、コンピュータ、デジタル放送端末、メッセージ送受信機器、ゲームコンソール、タブレットデバイス、医療設備、フィットネス機器、ＰＤＡなどであってもよい。
【０２６１】
図３１を参照すると、装置３１００は、処理ユニット３１０２、メモリ３１０４、電源ユニット３１０６、マルチメディアユニット３１０８、オーディオユニット３１１０、入力/出力（Ｉ／Ｏ）インターフェース３１１２、センサユニット３１１４、および、通信ユニット３１１６のうちの１つまたは複数を含んでもよい。
【０２６２】
処理ユニット３１０２は、通常は、表示、電話発呼、データ通信、カメラ操作および記録操作に関連する操作のような、装置３１００の全般操作を制御する。処理ユニット３１０２は、上記方法の全部または一部のステップを実施させるように、指令を実行するための１つまたは複数のプロセッサ３１２０を含んでもよい。また、処理ユニット３１０２は、処理ユニット３１０２と他のユニットとの間の相互作用を容易にするように、１つ又は複数のモジュールを含んでもよい。例えば、処理ユニット３１０２は、マルチメディアユニット３１０８と処理ユニット３１０２との間の相互作用を容易にするように、マルチメディアモジュールを含んでもよい。
【０２６３】
メモリ３１０４は、各タイプのデータを記憶して装置３１００での操作をサポートするように構成される。これらのデータの例示は、装置３１００で操作するための任意のアプリケーションもしくは方法の指令、連絡人データ、電話帳データ、メッセージ、ピクチャ、ビデオなどを含む。メモリ３１０４は、如何なる種別の揮発性もしくは不揮発性記憶装置またはそれらの組合せで実現されてもよい。例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０２６４】
電源ユニット３１０６は、装置３１００のユニットのそれぞれに電力を供給する。電源ユニット３１０６は、電源管理システム、１つまたは複数の電源、並びに、装置３１００用の電力を生成、管理および配分するに関する他のユニットを含んでもよい。
【０２６５】
マルチメディアユニット３１０８は、前記装置３１００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、前記タッチあるいはスライド操作と関連する持続時間および圧力をさらに検出することができる。一部の実施例では、マルチメディアユニット３１０８は、１つのフロントカメラおよび/またはバックカメラを含む。装置３１００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０２６６】
オーディオユニット３１１０は、オーディオ信号を出力および/または入力するように構成される。例えば、オーディオユニット３１１０は、マイク（ＭＩＣ）を備え、装置３１００が操作モード、例えば、発呼モード、記録モードおよび音声識別モードであるとき、マイクは、外部オーディオ信号を受信するように構成される。受信されたオーディオ信号は、さらに、メモリ３１０４に格納される、または、通信ユニット３１１６を介して送信されることができる。一部の実施例では、オーディオユニット３１１０は、オーディオ信号を出力するためのスピーカをさらに含む。
【０２６７】
Ｉ/Ｏインターフェース３１１２は、処理ユニット３１０２とペリフェラルインターフェースモジュールとの間でインターフェースを供給するものであり、前記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０２６８】
センサユニット３１１４は、様々な側面での状態推定を装置３１００に供給するための１つまたは複数のセンサを含む。例えば、センサユニット３１１４は、装置３１００のオン/オフ状態、ユニットの相対位置を検出することができ、前記ユニットは、例えば、装置３１００のディスプレイおよびキーパッドである。センサユニット３１１４は、さらに、装置３１００もしくは装置３１００の１つのユニットの位置変更、ユーザと装置３１００との接触の存在もしくは非存在、装置３１００の方位もしくは加速/減速および装置３１００の温度変化をさらに検出することができる。センサユニット３１１４は、如何なる物理的接触もないとき、近辺にある物体の存在を検出するための近接センサを含んでもよい。センサユニット３１１４は、さらに、イメージングアプリケーションに使用される光センサ、例えばＣＭＯＳまたはＣＣＤ画像センサを含んでもよい。一部の実施例では、当該センサユニット３１１４は、さらに、加速度センサ、ジャイロセンサ、磁気センサ、圧力センサまたは温度センサを含んでもよい。
【０２６９】
通信ユニット３１１６は、装置３１００と他の機器間の無線または有線方式の通信ができるように構成される。装置３１００は、通信規格に基づく無線ネットワーク、例えば、ＷｉＦｉ、２Ｇもしくは３Ｇ、またはそれらの組合せにアクセスすることができる。ある実施例では、通信ユニット３１１６は、外部ブロードキャスト管理システムからのブロードキャスト信号またはブロードキャスト関連情報をブロードキャストチャネルにて受信する。ある実施例では、前記通信ユニット３１１６は、さらに、短距離通信を容易にするように、ニアフィールド通信（ＮＦＣ）モジュールを含む。例えば、ＮＦＣモジュールは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【０２７０】
実施例では、装置３１００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０２７１】
実施例では、指令を含む非一時的コンピュータ読み取り可能な記憶媒体、例えば、指令を含むメモリ３１０４をさらに提供し、上記指令が装置３１００のプロセッサ３１２０によって実行されることで上述方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピー（登録商標）ディスクおよび光データ記憶機器などであってもよい。
【０２７２】
図３２に示すように、図３２は一実施例に係る情報の処理装置３２００の構成を示す模式図（サーバ側）である。例えば、装置３２００はルータ装置として提供されてもよい。図３２を参照すると、装置３２００は処理ユニット３２２２を備え、それはさらに１つまたは複数のプロセッサ、および処理ユニット３２２２により実行される指令、例えばアプリケーションを記憶するためのメモリ３２３２に代表されるメモリ資源を備える。メモリ３２３２に記憶されるアプリケーションは１組の指令に１つ対応するモジュールを１つまたは１つ以上備えてもよい。なお、処理ユニット３２２２は、指令を実行することで、上記ホームページにアクセスする方法を実施するように構成される。
【０２７３】
装置３２００は、さらに装置３２００の電源管理を実行するように構成される電源ユニット３２２６と、装置３２００をネットワークに接続するように構成される有線または無線ネットワークインターフェース３２５０と、および入力／出力（Ｉ／Ｏ）インターフェース３２５８とをさらに備えてもよい。装置３２００はメモリ３２３２に保存されている、例えばＷｉｎｄｏｗｓ（登録商標）  Ｓｅｒｖｅｒ、Ｍａｃ  ＯＳ  Ｘ（登録商標）、Ｕｎｉｘ（登録商標）、Ｌｉｎｕｘ（登録商標）、ＦｒｅｅＢＳＤ（登録商標）または類似なオペレーティングシステムに基づき操作してもよい。
【０２７４】
当業者は明細書を考慮し、ここに公開された開示を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０２７５】
上記は本発明の好ましい実施例に過ぎず、本発明を制限するものではなく、本発明の精神および範囲を逸脱せずに行ったいろんな修正、均等な置き換え、改善等は本発明の保護範囲に属すべきである。
【０２７６】
本発明は、出願番号が２０１５１０７９２５７０．３であり、出願日が２０１５年１１月１７日である中国特許出願を基に提出するものであり、当該中国特許出願の優先権を主張し、当該中国特許出願の全ての内容は、参照のため本願に援用される。
【図１】
2018506751.tif 000003
【図２】
2018506751.tif 000004
【図３】
2018506751.tif 000005
【図４】
2018506751.tif 000006
【図５】
2018506751.tif 000007
【図６】
2018506751.tif 000008
【図７】
2018506751.tif 000009
【図８】
2018506751.tif 000010
【図９】
2018506751.tif 000011
【図１０】
2018506751.tif 000012
【図１１】
2018506751.tif 000013
【図１２】
2018506751.tif 000014
【図１３】
2018506751.tif 000015
【図１４】
2018506751.tif 000016
【図１５】
2018506751.tif 000017
【図１６】
2018506751.tif 000018
【図１７】
2018506751.tif 000019
【図１８】
2018506751.tif 000020
【図１９】
2018506751.tif 000021
【図２０】
2018506751.tif 000022
【図２１】
2018506751.tif 000023
【図２２】
2018506751.tif 000024
【図２３】
2018506751.tif 000025
【図２４】
2018506751.tif 000026
【図２５】
2018506751.tif 000027
【図２６】
2018506751.tif 000028
【図２７】
2018506751.tif 000029
【図２８】
2018506751.tif 000030
【図２９】
2018506751.tif 000031
【図３０】
2018506751.tif 000032
【図３１】
2018506751.tif 000033
【図３２】
2018506751.tif 000034
【国際調査報告】
2018506751.tif 000035
2018506751.tif 000036
2018506751.tif 000037
2018506751.tif 000038